(57)【要約】  電子出版物賃貸ネットワークプラットフォームを構築する方法であって、グリッド技術を駆使し、複数のネットワークによりインターネットに接続して、情報サービスグリッド特性のある電子出版物賃貸ネットワークプラットフォームを構築する。情報サービスグリッドに、サービス域所有者と管理者グリッドノードである第一種のグリッドノードと、電子出版物消費者グループからなるサービス請求者グリッドノードである第二種グリッドノードと、電子出版物出版者グループからなるサービス提供者グリッドノードである第三種グリッドノードの三種類のグリッドノードを作成し、三種類のグリッドノードの間はグリッドコンピューティング方式とソープ（ＳＯＡＰ:Ｓｉｍｐｌｅ Ｏｂｊｅｃｔ Ａｃｃｅｓｓ Ｐｒｏｔｏｃｏｌ）によりグリッド情報サービスを行う。サービス提供者グリッドノードはそれが提供した電子出版物の内容をオンラインでメンテするとともに、料金を徴収することができ、サービス請求者グリッドノードはサービス域所有者と管理者グリッドノードが提供した多種類のサービスルートによりサービス提供者グリッドノードが提供したサービスを取得するとともに、サービス費用を支払うことができる。
2009507282.tif 000002
【特許請求の範囲】
【請求項１】
電子出版物賃貸ネットワークプラットフォームを構築する方法において、グリッドコンピューティング方式を採用し、各種類のネットワーク接続方式により情報サービスグリッドを作成し、情報サービスグリッドにおいて、サービス域所有者と管理者グリッドノードである第一種のグリッドノードと、電子出版物消費者グループからなるサービス請求者グリッドノードである第二種のグリッドノードと、電子出版物出版者グループからなるサービス提供者グリッドノードである第三種のグリッドノードの三種類のグリッドノードを作成し、三種類のグリッドノードの間はグリッドコンピューティング方式とソープによりネットワーク通信とネットワークサービスを行い、前記グリッドノードにより構成された情報サービスグリッドで電子出版物賃貸ネットワークプラットフォームを構成することを特徴とする。
【請求項２】
具体的な構築方法として、
＜１＞まず電子出版物賃貸ネットワークプラットフォームのサービス域所有者と管理者グリッドノードを作成する：各種類のマルチユーザ、マルチタスク機能を有するコンピュータシステムを利用し、ウェブサービス方式とオープングリッドサービシーズアーキテクチャにより、サービス域所有者と管理者グリッドノードを作成し、サービス域所有者と管理者グリッドノードの構造異性資源差異をシールドし、サービス域所有者と管理者グリッドノードの空間特性をシールドし、各種類のネットワークリンク方式でサービス域所有者と管理者グリッドノードをインターネットに接続し、情報サービスグリッドに各種類のサービス請求ルートと、オンラインサービス計算と、サービスマッチングシグナルが構築された第一種のグリッドノードを作成し、電子出版物賃貸ネットワークプラットフォーム上のサービス域所有者と管理者グリッドノードとする；
＜２＞電子出版物賃貸ネットワークプラットフォームのサービス請求者グリッドノードを作成する：放送用にデジタル著作権保護機能のある手持ち式無線リモコンつきのマルチメディア端末と一般テレビを配置し、各種類のネットワーク接続方式によりサービス請求者グリッドノードをインターネットに接続することを許容し、前記サービス域所有者と管理者グリッドノードの各種類の仮想サービス環境請求ルートを利用してプラットフォームでの各ネットワークサービスを取得し、情報サービスグリッドの第二種のグリッドノードを作成し、電子出版物賃貸ネットワークプラットフォームのサービス請求者グリッドノードとする；
＜３＞電子出版物賃貸ネットワークプラットフォームのサービス提供者グリッドノードを作成する：各種類のマルチユーザ、マルチタスク機能を有するコンピュータシステムを利用し、ウェブサービス方式とオープングリッドサービシースアーキテクチャにより、サービス提供者グリッドノードの構造異性資源差異をシールドし、サービス提供者グリッドノードの空間特性をシールドし、各種類のネットワークリンク方式でサービス提供者グリッドノードをインターネットに接続し、各種類の電子出版物を含み、前記サービス域所有者と管理者グリッドノード、サービス提供者グリッドノードと内容サービスを実行できる第三種のグリッドノードを作成し、電子出版物賃貸ネットワークプラットフォーム上のサービス提供者グリッドノードとすることを特徴とする請求項１に記載の電子出版物賃貸ネットワークプラットフォームを構築する方法。
【請求項３】
電子出版物賃貸ネットワークプラットフォームのサービス請求者グリッドノードにおいて、サービス・オンデマンドまたはワン・クリック操作サービスによる情報サービスグリッド方式を作成することを特徴とする請求項１に記載の電子出版物賃貸ネットワークプラットフォームを構築する方法。
【請求項４】
サービス請求者グリッドノードにおいて作成された放送形式は、オフラインで独自に許可を受けた情報内容を放送し、またはオンラインで許可を受けた情報内容を放送することを特徴とする請求項１に記載の電子出版物賃貸ネットワークプラットフォームを構築する方法。
【請求項５】
電子出版物賃貸ネットワークプラットフォームに作成される各種類のサービス請求ルートに、コールセンターオンラインサービスルートと、ネットワークオンラインサービスルートと、移動ショートメッセージオンラインサービスルートを含むことを特徴とする請求項１に記載の電子出版物賃貸ネットワークプラットフォームを構築する方法。
【請求項６】
サービス域所有者と管理者グリッドノードとサービス請求者グリッドノード及びサービス提供者グリッドノードの間はネットワークにより通信サービスを行い、相互操作特性のあるソープと拡張可能なマーク付け言語の情報処理フレームワークを採用することを特徴とする請求項１に記載の電子出版物賃貸ネットワークプラットフォームを構築する方法。
【請求項７】
前記サービス請求者グリッドノードが手持ち式の無線リモコンでマルチメディア端末を操作し、一般テレビを外付けて放送し、または、直接にマルチメディア端末のボタンを操作し、一般テレビを外付けて放送することを特徴とする請求項１に記載の電子出版物賃貸ネットワークプラットフォームを構築する方法。
【請求項８】
情報サービスグリッドフレームワークにおいて、随時登録または取り消すことができるサービス提供者グリッドノードを配置することを特徴とする請求項１に記載の電子出版物賃貸ネットワークプラットフォームを構築する方法。
【請求項９】
サービス請求者グリッドノードはダウンロードの方法で許可を受けた情報内容の放送を行うことを特徴とする請求項１に記載の電子出版物賃貸ネットワークプラットフォームを構築する方法。
【請求項１０】
情報サービスグリッドフレームワークにおいて、随時登録または取り消すことができるサービス域所有者と管理者グリッドノード、サービス請求者グリッドノード、及びサービス提供者グリッドノードを配置することを特徴とする請求項１に記載の電子出版物賃貸ネットワークプラットフォームを構築する方法。
【発明の詳細な説明】
【発明の詳細な説明】
【０００１】
〔発明の属する技術分野〕
本発明は電子出版物賃貸ネットワークプラットフォームを構築する方法に関し、特に電子出版物消費者が多種類のネットワーク接続方式（例えば、インターネット、衛星通信網、ケーブルテレビネットワーク、ワイヤレスブロードバンドネットワーク、コンピュータネットワーク及びローカルテレホンネットワーク等）によりインターネット（Ｉｎｔｅｒｎｅｔ）に接続し、サービス域所有者と管理者グリッドノード、サービス提供者グリッドノード、サービス請求者グリッドノードから構成される情報サービスグリッドで、サービス提供者グリッドノードが配布した各種類の電子出版物サービスを取得する電子出版物賃貸ネットワークプラットフォームを構築する方法に関するものである。
【０００２】
〔背景技術〕
各種類のネットワークの絶えない進歩と各種類の電子出版物の著しい豊富化に伴い、電子出版消費者がネットワークを利用して、電子出版物を消費する需要が高まる一方である。大量的、分布式の電子出版物出版者が配布する必要がある。同時に、電子出版物消費者が個性を主張する電子出版物の消費を望んでいる。つまり、電子出版物消費者と電子出版物出版者の間に、情報と内容などのコミュニケーションが必要である。大量の電子出版物資源をデジタル著作権管理（ＤＲＭ，ＤｉｇｉｔａｌＲｉｇｈｔｓＭａｎａｇｅｍｅｎｔ）機能のある仮想空間で集めるには、統一で高効率の情報サービスを提供する情報サービスグリッドを必要とする。当該情報サービスグリッドにより、電子出版物消費者が電子出版物賃貸ネットワークプラットフォームのサポートで、選択した電子出版物を借りたり、購買したりすることができ、且つ多種類の表示設備で選択した電子出版物を読んだり見たりすることもできる。また、当該情報サービスグリッドにより、電子出版物出版者が電子出版物賃貸ネットワークプラットフォームのサポートで、電子出版物出版者に所属する電子出版物を配布したり、レンタルしたりするとこができ、且つ料金徴収手段により電子出版物の発行利益を取得することができる。
【０００３】
先端計算基盤施設（つまりグリッド）と情報ハイウェイ（つまりブロードバンドネットワーク）とを比較すると、情報ハイウェイは情報を伝送と取得するための情報基盤施設であり、先端計算基盤施設は情報を処理するための情報基盤施設といえる。日本も海外も情報ハイウェイの周波数帯域幅を拡大し、ルータ性能を改善し続ける計画があるが、日本国内外の科学者は、真の次世代の情報基盤施設は先端計算基盤施設であると認識している。コンピュータを主体とする情報処理を根本的に変化させると思われる。この変化の本質的特徴はまさにワールドワイドウェブ(ＷＷＷ，ＷｏｒｌｄＷｉｄｅＷｅｂ)がグリッド（ＧＧＧ，ＧｒｅａｔＧｌｏｂａｌＧｒｉｄ）にアップグレードすることである。
【０００４】
電子出版物賃貸ネットワークプラットフォームという情報サービスグリッドを構築するには、ミドルウェア、ピアリングまたはピアツーピア（Ｐ２Ｐ,Ｐｅｅｒ-ｔｏ-Ｐｅｅｒ)、ウェブサービス(ＷｅｂＳｅｒｖｉｃｅ)、オープン・グリッド・サービシーズ・アーキテクチャー（ＯＧＳＡ，ＯｐｅｎＧｒｉｄＳｅｒｖｉｃｅｓＡｒｃｈｉｔｅｃｔｕｒｅ） など複数の主流技術が必要とする。
【０００５】
〔発明の開示〕
本発明の目的は、デジタル著作権管理（ＤＲＭ，ＤｉｇｉｔａｌＲｉｇｈｔｓＭａｎａｇｅｍｅｎｔ）機能を有し、分布式で随時登録または取り消しの電子出版物資源を有し、情報サービスグリッドにおける各グリッドノードの構造異性資源差異をシールドし、情報サービスグリッドにおける各グリッドノードの空間特性をシールドする電子出版物賃貸ネットワークプラットフォームを構築する方法を提供することである；
本発明のもう一つの目的は、電子出版物消費者が電子出版物サービスを借りたり購買したりすることができる電子出版物賃貸ネットワークプラットフォームを構築する方法を提供することである；
本発明のさらにもう一つの目的は、電子出版物出版者が電子出版物著作権管理に配慮した内容配布と内容レンタルサービスを取得できる電子出版物賃貸ネットワークプラットフォームを構築する方法を提供することである。
【０００６】
上記目的を実現するために、本発明の構築方法は、
各種類のネットワーク接続方式（インターネット、衛星通信網、ケーブルテレビネットワーク、ワイヤレスブロードバンドネットワーク、コンピュータネットワーク及びローカルテレホンネットワーク等を含む）によりインターネット（Ｉｎｔｅｒｎｅｔ）に接続し、多種類（少なくとも三種類）のグリッドノードにより情報サービスグリッドを構成し、情報サービスグリッドに、サービス域所有者と管理者グリッドノードである第一種のグリッドノードと、電子出版物消費者グループからなるサービス請求者グリッドノードである第二種のグリッドノードと、電子出版物出版者グループからなるサービス提供者グリッドノードである第三種のグリッドノードの三種類のグリッドノードを作成し、サービス域所有者と管理者グリッドノードとサービス請求者グリッドノードとサービス提供者グリッドノードの間はネットワークにより通信とサービスを行い、前記情報サービスグリッドにより電子出版物賃貸ネットワークプラットフォームを構築する。
【０００７】
具体的な構築方法は、
＜１＞まず電子出版物賃貸ネットワークプラットフォームのサービス域所有者と管理者グリッドノードを作成する：各種類のマルチユーザ、マルチタスク機能を有するコンピュータシステムを利用し、ウェブサービス（ＷｅｂＳｅｒｖｉｃｅ）方式とオープングリッドサービシーズアーキテクチャ(ＯＧＳＡ，ＯｐｅｎＧｒｉｄＳｅｒｖｉｃｅＡｒｃｈｉｔｅｃｔｕｒｅ)により、サービス域所有者と管理者グリッドノードを作成し、サービス域所有者と管理者グリッドノードの構造異性資源差異をシールドし、サービス域所有者と管理者グリッドノードの空間特性をシールドし、各種類のネットワークリンク方式でサービス域所有者と管理者グリッドノードをインターネット（Ｉｎｔｅｒｎｅｔ）に接続し、情報サービスグリッドに多種類のサービス請求ルートと、オンラインサービス計算と、サービスマッチングシグナルが作成された第一種のグリッドノードを作成し、電子出版物賃貸ネットワークプラットフォーム上のサービス域所有者と管理者グリッドノードとする；
＜２＞電子出版物賃貸ネットワークプラットフォームのサービス請求者グリッドノードを作成する：放送用にデジタル著作権管理機能のある手持ち式無線リモコンつきのマルチメディア端末と一般テレビを配置し、各種類のネットワーク接続方式によりサービス請求者グリッドノードをインターネット（Ｉｎｔｅｒｎｅｔ）に接続することを許容し、前記サービス域所有者と管理者グリッドノードの各種類の仮想サービス環境請求ルートを利用してプラットフォームでの各種類のネットワークサービスを取得し、情報サービスグリッドの第二種のグリッドノードを作成し、電子出版物賃貸ネットワークプラットフォームのサービス請求者グリッドノードとする；
＜３＞電子出版物賃貸ネットワークプラットフォームのサービス提供者（またはサービス供給者）グリッドノードを作成する：各種類のマルチユーザ、マルチタスク機能を有するコンピュータシステムを利用し、ウェブサービス（ＷｅｂＳｅｒｖｉｃｅ）方式とオープングリッドサービシーズアーキテクチャ（ＯＧＳＡ、ＯｐｅｎＧｒｉｄＳｅｒｖｉｃｅｓＡｒｃｈｉｔｅｃｔｕｒｅ）によりサービス提供者グリッドノードの構造異性資源差異をシールドし、サービス提供者グリッドノードの空間特性をシールドし、各種類のネットワークリンク方式でサービス提供者（またはサービス供給者）グリッドノードをインターネット（Ｉｎｔｅｒｎｅｔ）に接続し、各種類の電子出版物を含み、前記サービス域所有者と管理者グリッドノード、サービス請求者グリッドノードと内容サービスを実行する第三種のグリッドノードを作成し、電子出版物賃貸ネットワークプラットフォーム上のサービス提供者（またはサービス供給者）グリッドノードとする。
【０００８】
前記電子出版物賃貸ネットワークプラットフォームのサービス域所有者と管理者グリッドノード、サービス提供者グリッドノード、及びサービス請求者グリッドノードはいずれも各種類のネットワーク（例えば、インターネット、衛星通信網、ケーブルテレビネットワーク、ワイヤレスブロードバンドネットワーク、コンピュータネットワーク及びローカルテレホンネットワーク等）によりインターネット（Ｉｎｔｅｒｎｅｔ）に接続でき、相互操作性のあるソープ（ＳＯＡＰ:ＳｉｍｐｌｅＯｂｊｅｃｔＡｃｃｅｓｓＰｒｏｔｏｃｏｌ）と拡張可能なマーク付け言語（ＸＭＬ，ＥｘｔｅｎｓｉｂｌｅＭａｒｋｕｐＬａｎｇｕａｇｅ）情報処理フレームワークにより相互間の通信とサービスを行い、ハイレベルの相互操作特性を図る。
【０００９】
前記電子出版物賃貸ネットワークプラットフォームのサービス域は共通のサービスエントリポイントにより一組の類似または関連するウェブ（Ｗｅｂ）サービスを表示する。自律コンピューティングの原理を応用して、Ｗｅｂサービスとグリッド体系構成に基づき、サービスグリッドシステムの拡張性と操作能力を構築し、Ｗｅｂサービスとグリッドサービスを集積、融合する。サービス請求者は簡潔で優しい目次画面を操作するだけであり、サービス請求と応答は「ローカルマシーン」と同じようである。本格的にどのサービス請求者でも、どこでも、いつでも、サービス請求者グリッドノードが電気操作を実行すれば、サービス請求の初期化リンクを完成し、サービス請求者が面するのは仮想的な、巨大な電子出版物賃貸ネットワークプラットフォームである。実行環境の変化と伴い、プラットフォームも動的で自主的に配置でき、常にセルフモニタリングを行い、実行状態を最適化することができる。プラットフォームが由緒不明なアタックを受けた場合、または潜在故障が発見された場合、プラットフォームは電子出版物賃貸ネットワークプラットフォームの対策規則（サービス選択を含む）、サービスマッピング、イベント処理などを設定することで、センターの操作を制御し、システムを新たに調整し、正しくかつ安定的に実行させ、プラットフォームの良質サービスを確保することができる。
【００１０】
本発明の電子出版物賃貸ネットワークプラットフォームを構築する方法に下記顕著な特徴がある：
＜１＞前記のように、本発明の構築方法はグリッドコンピューティングにより、ネットワーク資源サービスに類オペレーティングシステムのプラットフォームを提供することである。当該プラットフォームは各グリッドノードの構造異性資源差異をシールドし、各グリッドノードの空間特性をシールドし、グリッドのコンピューティング、記憶、ネットワークなどの資源を管理し、応用間のインタラクティブと相互操作性を提供する。構築された電子出版物賃貸ネットワークプラットフォームの顕著な特徴は情報サービスグリッドであり、従来のネットワーク基盤施設、プロトコルルール、ワールドワイドウェブ（ＷＷＷ，ＷｏｒｌｄＷｉｄｅＷｅｂ）とデータベース技術を利用して、一体化の知能情報プラットフォームを提供する。オペレーティングシステム（ＯＳ，ＯｐｅｒａｔｉｎｇＳｙｓｔｅｍ）とワールドワイドウェブ（ＷＷＷ，ＷｏｒｌｄＷｉｄｅＷｅｂ）をベースとし、インターネット（Ｉｎｔｅｒｎｅｔ）に基づく新世代の情報プラットフォームとソフトウェア基盤施設を作成することを目的とする。このプラットフォームにおいて、情報処理は分布式で、協働で知能化であり、ユーザがシングルエントリポイントで全ての情報をアクセスできる。電子出版物賃貸ネットワークプラットフォームはサービス・オンデマンド（ＳｅｒｖｉｃｅＯｎＤｅｍａｎｄ）とワン・クリック操作サービス（ＯｎｅＣｌｉｃｋＩｓＥｎｏｕｇｈ）を最終目標とする。
【００１１】
＜２＞前記のように、本発明の構築方法はマルチメディア端末設備により、サービス請求者に操作しやすい、且つ情報サービスグリッドがなくても著作権とサービス回数情報を取得した内容を独自に放送できる情報サービスを提供するものである。
【００１２】
＜３＞前記のように、本発明の構築方法は各サービス請求ルート（コールセンターサービス、ネットワークサービス、及び移動ショートメッセージサービスなどのオンライン請求サービスルート）を作ることで、サービス請求者のサービス請求を情報サービスグリッドに入らせるものであり、前期サービス請求メッセージはサービス域所有者と管理者により分析と処理をする。
【００１３】
＜４＞前記のように、本発明の構築方法は相互操作特性のあるソープ（ＳＯＡＰ，ＳｉｍｐｌｅＯｂｊｅｃｔＡｃｃｅｓｓＰｒｏｔｏｃｏｌ）と拡張可能なマーク付け言語（ＸＭＬ，ＥｘｔｅｎｓｉｂｌｅＭａｒｋｕｐＬａｎｇｕａｇｅ）情報処理フレームワークによるものである。サービス域所有者と管理者類ノード、サービス請求者類ノード、及びサービス提供者類ノードの間はネットワークにより通信とサービスを実現する。ソープの支援で、管理プラットフォーム、内容グループ、およびユーザグループは協働で計算し、それぞれが必要とするデータを処理する。
【００１４】
＜５＞前記のように、本発明の構築方法はサービス請求者により無線リモコンで（または直接ボタン操作で）操作し、一般テレビにより放送し、多種類のネットワーク接続方式により情報サービスグリッドを導入するとともに、情報サービスグリッドのサービスを利用する。
【００１５】
＜６＞前記のように、本発明の構築方法は、サービス域所有者と管理者類ノード、サービス請求者類ノード、及びサービス提供者グリッドノードが、情報サービスグリッドのフレームワークにおいて、容易に登録または取り消すことができることで、電子出版物賃貸ネットワークプラットフォームを動的に構築するものである。
【００１６】
＜７＞前記のように、本発明による電子出版物賃貸ネットワークプラットフォームを構築する方法はウェブサービス（ＷｅｂＳｅｒｖｉｃｅ）方式とオープングリッドサービシーズアーキテクチャ（ＯＧＳＡ，ＯｐｅｎＧｒｉｄＳｅｒｖｉｃｅＡｒｃｈｉｔｅｃｔｕｒｅ）を採用するため、本発明の方法により構築された電子出版物賃貸ネットワークプラットフォームは強い拡張性を持ち、オープングリッドサービシーズアーキテクチャ（ＯＧＳＡ，ＯｐｅｎＧｒｉｄＳｅｒｖｉｃｅＡｒｃｈｉｔｅｃｔｕｒｅ）のグリッドサービス（ＧｒｉｄＳｅｒｖｉｃｅ）基準に従い、プラットフォームは常に拡張することができる。プラットフォーム全体のサービス能力はほとんど制限されなく、サービス提供者（つまり出版社）の加入につれ、プラットフォームが提供できるサービス内容もどんどん豊かになっていく。グリッド処理能力を常に拡充することに従い、プラットフォームを愛用するユーザの数もどんどん増えていく。
【００１７】
＜８＞前記のように、本発明の方法により構築された電子出版物賃貸ネットワークプラットフォームにセンターサービス域があり、当該サービス域は一組関連サービスのサービスアクセスエントリポイントの役割を果たす。エントリポイントはサービス提供者がそのサービスを登録するところであり、サービス提供者がサービスセンターオブジェクトをシンスタンシングすることでサービス域体系構成を構築するところでもある。当該センターサービス域はデフォルト対策と設定され、つまり提供されるサービス機能によりサービス提供者のサービスレベルを採用することである。ユーザのサービス選択請求により、サービス提供者のサービスを区分し、サービス提供者のサービスはそれぞれ関連のサービス提供者のサービスインスタンスにマッピングされるため、ユーザはサービス選択によりサービスレベルライセンスを利用するサービス機能を使用できる。当該センターサービス域は複数の選択ルールを適用することで、適切な提供サービスプールからインスタンスを選択し、サイトアクセスのためにサービスを請求する。
【００１８】
＜９＞前記のように、本発明による電子出版物賃貸ネットワークプラットフォームを構築する方法はまずサービス請求者グリッドノードがサービス請求を発送し、グリッドサービスにより番組内容をサービス請求者グリッドノードのマルチメディアの端末にレンタルし、内容放送時はネットワークのバンド幅に影響されないため、本発明の方法により構築された電子出版物賃貸ネットワークプラットフォームは品質が信頼でき、優れたサービス品質保証があり、ユーザに満足できる電子出版物の利用効果を持っている。
【００１９】
＜１０＞前記のように、本発明により構築された電子出版物賃貸ネットワークプラットフォームはグリッド技術に基づくため、グリッドにより保存でき、プラットフォーム全体のデータは良好に保護され、紛失することはない。
【００２０】
＜１１＞前記のように、本発明により構築された電子出版物賃貸ネットワークプラットフォームのサービス域所有者と管理者グリッドノード、サービス請求者グリッドノード、サービス提供者グリッドノードはいつでも登録または取り消すことができるため、グリッドノードに数量の制限はない。
【００２１】
インターネット（Ｉｎｔｅｒｎｅｔ）からワールドワイドウェブ（ＷＷＷ，ＷｏｒｌｄＷｉｄｅＷｅｂ）に転換する発展はユーザ数を百万台から億台に成長させ、応用範囲も科学教育から社会各階層まで広がっている。ワールドワイドウェブ（ＷＷＷ，ＷｏｒｌｄＷｉｄｅＷｅｂ）からグレートグローバルグリッド（ＧＧＧ，ＧｒｅａｔＧｌｏｂａｌＧｒｉｄ）までの転換の影響力は情報共有又は交流などを主とするサーフェイス応用から高効率協働で、意思決定支援を主とする深層応用に移行することであり、コミュニケーションを主とする応用から総合能力を主とする応用に転換することである。
【００２２】
例えば、本発明の情報グリッド応用である。見た目は内容配布、リクエストを行う非常に簡単な情報サービスである。グリッド技術を採用することで、同時にオンラインでサービスを取得するサポート力は大幅に向上し、グリッドにおける各ノードのバンド幅のネックを緩和し、情報サービスの有効取扱量を増加させることが図れる。
【００２３】
コンピュータとネットワーク技術が日夜進歩を続け、情報サービスシステムはマルチプラットフォーム、マルチシステムの複雑システムになっている。これが情報サービスシステムソリューションに広い互換能力があり、異なるシステムプラットフォームやデータ形式と多種類の接続方式をサポートできることを求める。各種類のネットワークの環境で、システムが疎結合で、クロスプラットフォームで、言語と関係なく、且つ特定インターフェースと関係ないことが求められ、しかもワールドワイドウェブ（ＷＷＷ，ＷｏｒｌｄＷｉｄｅＷｅｂ）アプリケーションプログラムに対する信頼できるアクセスを提供できることが求められる。異種コンピューティング環境が増加し続けるに従い、各種システム間の相互操作性がますます必要となり、各種のネットワーク環境で、情報アイランドをないようにし、情報共有、データ交換を実現し、情報の一致性を図るように、システムがシームレスに通信とデータ共有を実現することが求められる。本発明において、ウェブサービス（ＷｅｂＳｅｒｖｉｃｅ）方式を採用する目的は異なるシステム間で「ソフトウェアツーソフトウェア」方式で呼び出し合えることを望み、ソフトウェア応用、ウェブサイトと各種設備の間の高い壁を崩し、「ＷＥＢに基づくシームレスインテグレーション」を実現することを目標としている。
【００２４】
〔図面の簡単な説明〕
図１は本発明による電子出版物賃貸ネットワークプラットフォームを構築する方法で構築されたプラットフォームにおけるグリッドノードの構成図である。
【００２５】
図２は本発明による方法で構築された電子出版物賃貸ネットワークプラットフォームの情報サービスグリッドにおける各種グリッドノードの実施例の具体構成図である。
【００２６】
図３は本発明による電子出版物賃貸ネットワークプラットフォームを構築する方法で作成されたサービス請求者グリッドノードがネットワークに接続する各種模式図である。
【００２７】
図４は本発明による方法で構築された図１に示された構成の電子出版物賃貸ネットワークプラットフォームのサービス請求者グリッドノードのサービス請求とサービス取得のフローチャートである。
【００２８】
図５は本発明による方法で構築された図１に示された構成の電子出版物賃貸ネットワークプラットフォームのサービス提供者グリッドノードのサービス申請取得とサービス提供のフローチャートである。
【００２９】
〔発明の実施の形態〕
図面と具体的な実施にあわせて、本発明の方法を説明する。本発明による電子出版物賃貸ネットワークプラットフォームを構築する方法は、
図１に示されるように、各種類のネットワーク（例えば、インターネット、衛星通信網、ケーブルテレビネットワーク、ワイヤレスブロードバンドネットワーク、コンピュータネットワーク及びローカルテレホンネットワーク等）によりインターネット（Ｉｎｔｅｒｎｅｔ）に接続する方法により、情報サービスグリッドを作成することができ、情報サービスグリッドに、三種類のグリッドノードを作成し、第一種のグリッドノード１はサービス域所有者と管理者グリッドノード０１であり、第二種のグリッドノード２は電子出版物消費者グループからなるサービス請求者グリッドノード０２であり、第三種のグリッドノード３は電子出版物出版者グループからなるサービス提供者グリッドノード０３であり、サービス域所有者と管理者グリッドノード０１とサービス請求者グリッドノード０２及びサービス提供者グリッドノード０３の間はネットワークにより通信とサービスを行い、前記情報サービスグリッドにより電子出版物賃貸ネットワークプラットフォームを構築する。
【００３０】
前記情報サービスグリッドを作成する具体的な方法は、
＜１＞まず電子出版物賃貸ネットワークプラットフォームのサービス域所有者と管理者グリッドノード０１を作成する：各種類のマルチユーザ、マルチタスク機能を有するコンピュータシステムを利用し、ウェブサービス（ＷｅｂＳｅｒｖｉｃｅ）方式とオープングリッドサービシーズアーキテクチャ(ＯＧＳＡ，ＯｐｅｎＧｒｉｄＳｅｒｖｉｃｅＡｒｃｈｉｔｅｃｔｕｒｅ)により、サービス域所有者と管理者グリッドノードを作成し、サービス域所有者と管理者グリッドノードの構造異性資源差異をシールドし、サービス域所有者と管理者グリッドノードの空間特性をシールドし、多種類のネットワーク接続方式でサービス域所有者と管理者グリッドノードをインターネット（Ｉｎｔｅｒｎｅｔ）に接続し、情報サービスグリッドに多種類のサービス請求ルートと、オンラインサービス計算と、サービスマッチング機能を有する第一種のグリッドノード１を作成し、電子出版物賃貸ネットワークプラットフォーム上のサービス域所有者と管理者グリッドノード０１とする；
＜２＞電子出版物賃貸ネットワークプラットフォームのサービス請求者グリッドノード０２を作成する：デジタル著作権管理機能を有するマルチメディア端末と一般テレビにより放送する（当該マルチメディア端末に無線リモコンが付いている）。多種類のネットワーク接続方式により、サービス請求者グリッドノードをインターネット（Ｉｎｔｅｒｎｅｔ）に接続し、情報サービスグリッドにおける、前記サービス域所有者と管理者グリッドノード０１の各種のサービス請求ルートを使用し、情報サービスグリッドプラットフォーム上の各種ネットワークサービスを取得する第二種のグリッドノード２を作成し、電子出版物賃貸ネットワークプラットフォーム上のサービス請求者グリッドノード０２とする。
【００３１】
＜３＞電子出版物賃貸ネットワークプラットフォームのサービス提供者（またはサービス供給者）グリッドノード０３を作成する：各種類のマルチユーザ、マルチタスク機能を有するコンピュータシステムを利用し、ウェブサービス（Ｗｅｂ Ｓｅｒｖｉｃｅ）方式とオープングリッドサービシースアーキテクチャ（ＯＧＳＡ、Ｏｐｅｎ Ｇｒｉｄ Ｓｅｒｖｉｃｅｓ Ａｒｃｈｉｔｅｃｔｕｒｅ）によりサービス提供者グリッドノードの構造異性資源差異をシールドし、サービス提供者グリッドノードの空間特性をシールドし、多種類のネットワーク接続方式でサービス提供者（またはサービス供給者）グリッドノードをインターネット（Ｉｎｔｅｒｎｅｔ）に接続し、各種類の電子出版物を含み、前記サービス域所有者と管理者グリッドノード、サービス請求者グリッドノードとネットワークサービスを実行できる第三種のグリッドノード３を作成し、電子出版物賃貸ネットワークプラットフォーム上のサービス提供者（またはサービス供給者）グリッドノード０３とする。
【００３２】
図１に示されるように、電子出版物賃貸ネットワークプラットフォームの情報サービスグリッドフレームワークにおいて、随時登録または取り消すことができる第一種のグリッドノード１上のサービス域所有者と管理者グリッドノード０１と、第二種のグリッドノード２上のサービス請求者グリッドノード０２、及び第三種のグリッドノード３上のサービス提供者グリッドノード０３を配置することができるため、サービス域所有者と管理者グリッドノード０１、サービス請求者グリッドノード０２、及びサービス提供者グリッドノード０３はいずれも数量の制限がない。
【００３３】
図１に示されるにように、本発明の電子出版物賃貸ネットワークプラットフォームのサービス請求者グリッドノード０２は少なくとも一つの電子出版物消費者を含むユーザグループからなり、本発明の電子出版物賃貸ネットワークプラットフォームのサービス提供者グリッドノード０３は少なくとも一つの電子出版物出版者を含む内容グループからなる。
【００３４】
図１に示されるように、前記電子出版物賃貸ネットワークプラットフォームのサービス域所有者と管理者グリッドノード０１は各種類のネットワーク（例えば、インターネット、衛星通信網、ケーブルテレビネットワーク、ワイヤレスブロードバンドネットワーク、コンピュータネットワーク及びローカルテレホンネットワーク等）の接続方式により、サービス提供者グリッドノード０３とサービス請求者グリッドノード０２と、相互操作性のあるソープ（ＳＯＡＰ:Ｓｉｍｐｌｅ Ｏｂｊｅｃｔ Ａｃｃｅｓｓ Ｐｒｏｔｏｃｏｌ）４により通信を行い、ハイレベルの相互操作特性を図る。
【００３５】
前記本発明が採用したソープ（ＳＯＡＰ:Ｓｉｍｐｌｅ Ｏｂｊｅｃｔ Ａｃｃｅｓｓ Ｐｒｏｔｏｃｏｌ）は分散または分布式の環境で情報を交換する軽量のプロトコルであり、拡張可能なマーク付け言語（ＸＭＬ，Ｅｘｔｅｎｓｉｂｌｅ Ｍａｒｋｕｐ Ｌａｎｇｕａｇｅ）によるプロトコルである。通信プロトコルとして、多種類のプログラム設計言語で多種類のオペレーティングシステム（例えば、Ｗｉｎｄｏｗｓ(登録商標）、Ｓｏｌａｒｉｓ、Ｍａｃ ＯＳＵＮＩＸ(登録商標）、ＬＩＮＵＸなど）と多種類のコンピュータプラットフォーム（例えば、ＩＢＭ ＰＣ、ＡＰＰＬＥ Ｐｏｗｅｒ ＭＡＣ、ＳＵＮ Ｗｏｒｋ Ｓｔａｔｉｏｎなど）で実現できる。ソープは、１）情報内容と、送信者と、受信と処理するもの及びそれらのフレームワークをどう処理するかを定義するソープエンベロープ（ＳＯＡＰ ｅｎｖｅｌｏｐ）と、２）アプリケーションプログラムが必要とするデータタイプのインスタンスを表示するためのソープのエンコーディングルール（ＳＯＡＰ−ｅｎｃｏｄｉｎｇ−ｒｕｌｅｓ）と、３）リモート・プロシジャ・コールと応答のプロトコルを表示するソープ表示（ＳＯＡＰＲＰＣｒｅｐｒｅｓｅｎｔａｔｉｏｎ）と、４）下記ＳＯＡＰプロトコル実施例のように、ボトムプロトコルにより、情報交換を行うソープバイディング（ＳＯＡＰｂｉｎｄｉｎｇ）からなる。
【００３６】
下記はサービス請求者グリッドノード０２がサービス域所有者と管理者グリッドノード０１にサーバーアドレスを取得する請求を送信する例である。
===request envelope begin(request envelopeがスタート)===
<?xml version="1.0"encoding="UTF-8"?>
<SOAP-ENV:Envelope xmlns:SOAP-ENV="http://schemas.xmlsoap.org/soap/envelope/">
<SOAP-ENV:Header>
<SoapHeaderClass>
<STBID>0050C2262000</STBlD>(ケーブルセットトップボックスID)
<CardlD>86430A5FC3122726</CardID>(知能カードID)
<ValidCheck>24FA8798FF361F9l3B83BD6F1F8F3C8D</ValidCheck>(オースコード、認証コード)
<Language>ZH_CN</Language>(ケーブルセットトップボックス言語)
</SoapHeaderClass>
</SOAＰ-ENV:Header>
<SOAP-ENV:Body>
<RequestServerIP>(請求の方法)
<MAC>0050C2262000</MAC>(ケーブルセットトップボックスのMACアドレス)
</RequestServerIP>
</SOAP-ENV:Body>
</SOAP-ENV:Envelope>
===request envelope end(request envelopeが終了)===
下記はサービス域所有者と管理者グリッドノード０１が前記サービス請求者グリッドノード０２の請求によりサーバーアドレスを応答する例である。
===response envelope begin(response envelopeがスタート)===
<?xml version="1.0"encoding="UTF-8"?>
<soap:Envelope xmlns:soap="http://schemas.xmlsoap.org/soap/envelope/">
<soap:Body>
<RequestServerIPResp xmlns="http://www.mv3.cn/services/">(応答を請求)
<RequestServerIPResult>http://211.161.197.178/WebService/</RequestServerIPResult>
</RequestServerIPResp>(応答結果，利用できるサーバーアドレスを表示する)
</soap:Body>
</soap:Envelope>
===response envelope end(response envelopeが終了)===
図２は本発明による方法で構築された電子出版物賃貸ネットワークプラットフォームの情報サービスグリッドにおける各グリッドノードの実施例の具体構成図である。図２に示されるように、本実施例において、第一種のグリッドノード１に作成されたサービス域所有者と管理者グリッドノード０１はネットワーク接続ルータ１０５により各種類のネットワーク５（インターネット、ワイヤレスネットワーク、ケーブルテレビネットワーク、ケーブルテレホンネットワーク、ラジオテレホンネットワーク等を含む）に接続され、オンライン管理１０４はサービス提供者グリッドノード０３とサービス請求者グリッドノード０２のオンライン状況を管理し、サービス域所有者と管理者グリッドノード０１の電子出版物コラム配布１０６はサービス請求者グリッドノード０２に電子出版物コラムを配布し、身分確認と料金処理１０７はサービス請求者グリッドノード０２とサービス提供者グリッドノード０３の身分確認と料金処理を行い、サービス管理（処理）１０８はサービス請求者グリッドノード０２が提出したサービス請求をサービス提供者グリッドノード０３が提供したサービスインスタンスとマッチングする。
【００３７】
図２に示される実施例において、作成されたサービス域所有者と管理者グリッドノード０１は操作対策を設置するとともに、センターの動作をモニターするものであり、提供するサービスインスタンスの登録と取り消しや、サービス品質制御のメンテや、手動によるフェイルオーバー処理を含む。具体的には、サービス請求者グリッドノード０２とサービス提供者グリッドノード０３の身分検証と、サービス管理と、データセキュリティとを行い、デジタル図書資料や、デジタルオーディオとビデオなどの電子出版物の配布と発送を行い、サービス料金の受け取りと支払いを取り扱い、さらに、コールセンターサービス１０１、移動ショートメッセージサービスとＷＡＰネットワークサービス１０２、及びＷＷＷネットワークサービス（注文）１０３などさまざまなサービスルートを提供し、サービス請求者グリッドノード０２にサービスを提供する。情報サービスグリッドのルールにより、電子出版物を一つのサービス提供者グリッドノード０２または複数のサービス提供者グリッドノード０２からサービス請求者グリッドノード０２のマルチメディア端末２０６に発送し、サービス請求者グリッドノード０２は手持ち式の無線リモコンでマルチメディア端末２０６を操作し、一般テレビ２０５を外付けて放送し、または、直接にマルチメディア端末２０６のボタンを操作し、一般テレビ２０５を外付けて放送する。
【００３８】
図２に示されるように、前記電子出版物賃貸ネットワークプラットフォームのサービス域所有者と管理者グリッドノード０１は本実施例において、作成したサービスルートにコールセンター（ＣａｌｌＣｅｎｔｅｒ）の人工または自動サービス１０１と、移動ショートメッセージとワイヤレスアプリケーションプロトコル（ＷＡＰ，ＷｉｒｅｌｅｓｓＡｐｐｌｉｃａｔｉｏｎＰｒｏｔｏｃｏｌ）のネットワークサービス１０２と、ワールドワイドウェブ（ＷＷＷ，ＷｏｒｌｄＷｉｄｅＷｅｂ）のウェブ注文サービス１０３など多種類のオンラインサービスのサービス請求ルートを含む。そのうち、
コールセンター（ＣａｌｌＣｅｎｔｅｒ）サービス１０１は、サービス請求者グリッドノード０２が普通電話２０１から提出した下記内容のサービス請求を受け取る。
【００３９】
サービス問い合わせ：ユーザに機能、使用方法、料金徴収方式などを紹介する；
ビル問い合わせ：ユーザにリアルタイムのビル情報を提供する；
レンタル内容：ユーザのサービス請求を受け取り、確認する；
ユーザクレーム：ユーザのクレームを受付け、ユーザの合理的提案を記録することもできる。
【００４０】
移動ショートメッセージとワイヤレスアプリケーションプロトコル（ＷＡＰ，ＷｉｒｅｌｅｓｓＡｐｐｌｉｃａｔｉｏｎＰｒｏｔｏｃｏｌ）のネットワークサービス１０２は下記のサービス内容を含む。
【００４１】
サービス域所有者と管理者グリッドノード０１は移動ショートメッセージとＷＡＰネットワークサービス１０２を配置し、サービス請求者グリッドノードが携帯電話２０２でショートメッセージ方式でサービス域所有者と管理者グリッドノード０１に発送したサービス請求を受け取り、同時にショートメッセージ方式で確認情報を返送する。また、ユーザが選択できるように、ＷＡＰネットワークサービス方式で人気出版物注文情報を提供する。
【００４２】
ワールドワイドウェブ（ＷＷＷ，ＷｏｒｌｄＷｉｄｅＷｅｂ）のウェブ注文サービス１０３は下記のサービス内容を含む。
【００４３】
サービス問い合わせ：ユーザに機能、使用方法、料金徴収方式などを紹介する。
【００４４】
ビル問い合わせ：ユーザにリアルタイムのビル情報を提供する。
【００４５】
レンタル内容：ユーザの注文を受け取り、確認する。
【００４６】
ユーザクレーム：ユーザのクレームを受付け、ユーザの合理的提案を記録することもできる。
【００４７】
図２に示される実施例のように、第二種のグリッドノードに作成されたサービス請求者グリッドノードの具体的な構成は、
少なくとも一つの電子出版物消費者からなるサービス請求者グリッドノード０２を作成する。サービス請求者グリッドノード０２はマルチメディア端末２０６と一般テレビ２０５により電子出版物を観賞し、マルチメディア端末２０６はデジタル著作権管理（ＤＲＭ）機能を有する。マルチメディア端末２０６はサービス域所有者と管理者グリッドノード０１に自動登録する機能を有する（マルチメディア端末２０６は特許技術を利用した製品である）。
【００４８】
本発明による方法で構築された電子出版物賃貸ネットワークプラットフォームのサービス請求者グリッドノード０２は多種類のブロードバンドでのインターネット接続方式により電子出版物賃貸ネットワークプラットフォームのサービスを取得することができる。その多種類の接続方式は図３に示されるように、
サービス請求者グリッドノード０２−１がＡＤＳＬ（ＡｓｙｍｍｅｔｒｉｃａｌＤｉｇｉｔａｌＳｕｂｓｃｒｉｂｅｒＬｉｎｅ，非対称デジタル加入者線）を利用して、各種のネットワーク５に接続する場合、ブロードバンドルータ２０７を利用し、ＡＤＳＬモデム２０８により接続することができる。これがサービス請求者グリッドノード０２の配置方案１となる。
【００４９】
サービス請求者グリッドノード０２−２がＦＴＴＢ（ＦＴＴＢ＋ＬＡＮ（ＦＴＴＢと略称する）：つまりＦｉｂｅｒＴｏＴｈｅＢｕｉｌｄｉｎｇ（ファイバ・ツー・ザ・ビルディング））によりネットワーク５に接続する場合は、ハブ２０７により接続し、サービス請求者グリッドノード０２の配置方案２となる。
【００５０】
サービス請求者グリッドノード０２−３がケーブル（ケーブルテレビのケーブル）によりネットワーク５に接続する場合は、ブロードバンドルータ２０７でケーブルモデム２０８を接続することで、インターネットに接続し、サービス請求者グリッドノード０２の配置方案３となる。
【００５１】
サービス請求者グリッドノード０２−4が衛星通信によりネットワーク５に接続する場合はデジタル衛星受信機２０７により接続することができ、サービス請求者グリッドノード０２の配置方案４となる。
【００５２】
サービス請求者グリッドノード０２−５がワイヤレスでネットワーク５に接続する場合は、直接ワイヤレスブロードバンドルータ２０７により接続することができ、サービス請求者グリッドノード０２の配置方案５となる。
【００５３】
前記全てのサービス請求者グリッドノード０２の配置方案において、ユーザ２０４はいずれも一般テレビ２０５とマルチメディア端末２０６により電子出版物を観賞する。また、ダウンロードの方法で許可された情報内容を放送する。サービス請求者グリッドノード０２で構成された放送形式はオフラインで許可を受けた情報内容を独自に放送するものであり、または、オンラインで許可を受けた情報内容を放送するものである。
【００５４】
電子出版物賃貸ネットワークプラットフォームのサービス請求者グリッドノードにおいて、サービス・オンデマンドまたはワン・クリック操作サービス（つまり、直接にマルチメディア端末で情報内容を閲覧する）による情報サービスグリッド方式を作成する。
【００５５】
全てのサービス請求者グリッドノード０２の配置方案に、サービス請求者グリッドノード０２が前記サービス域所有者と管理者グリッドノード０１が提供するサービス請求ルートにより、サービス域所有者と管理者グリッドノード０１にサービス請求を提出する。図２に示されるように、ユーザ２０４が普通電話２０１、携帯電話２０２、パソコン２０３またはマルチメディア端末２０６を利用して、コールセンターの人工サービス１０１、移動ショートメッセージサービス１０２、ネットワーク注文サービス２０３（ウェブサイト閲覧サービスまたはワイヤレスウェブサイト閲覧サービス、ＷＡＰワイヤレスアプリケーションプロトコルＷｉｒｅｌｅｓｓＡｐｐｌｉｃａｔｉｏｎＰｒｏｔｏｃｏｌ）により、または、マルチメディア端末２０６から直接クリックし、つまりユーザ２０４がリモコンで（または直接にボタンを操作し）マルチメディア端末２０６で操作できる。すなわち、前記作成されたサービス請求者グリッドノード０２はインターネット、衛星通信網、ケーブルテレビネットワーク、ワイヤレスブロードバンドネットワーク、コンピュータネットワーク及びローカルテレホンネットワーク等を含む多種類のネットワーク５により、サービス域所有者と管理者グリッドノード０１とサービス提供者グリッドノード０３と通信し、また相互操作性のあるソープ（ＳＯＡＰ:ＳｉｍｐｌｅＯｂｊｅｃｔＡｃｃｅｓｓＰｒｏｔｏｃｏｌ）と拡張可能なマーク付け言語（ＸＭＬ，ＥｘｔｅｎｓｉｂｌｅＭａｒｋｕｐＬａｎｇｕａｇｅ）の情報処理フレームワーク（前記のように）を採用し、ハイレベルの相互操作特性を実現でき、マルチメディア端末２０６によりサービスを取得でき、サービス域所有者と管理者グリッドノード０１が提供した多種類のサービスルートにより、サービス提供者グリッドノード０３が配布した電子出版物を借りたり、購買したりすることができ、かつそのサービス費用を支払うことができる。サービス請求者グリッドノード０２はデジタル著作権管理方式により随時見ることができる。
【００５６】
図２に示されるように、作成されたサービス提供者グリッドノード０３のグリッドノードは、第三種のグリッドノード３において、少なくとも一つの電子出版物出版者からなるサービス提供者グリッドノード０３が作成されるように構成されている。サービス提供者グリッドノード０３に電子出版内容サーバ３０１を配置する。サービス提供者グリッドノード０３の内容データの保存はサービス提供者グリッドノード０３自身の条件により、物理位置の設計と建設できる（例えば、サービス提供者グリッドノード０３の本部や、ＩＤＣなどの場所に保存する）。サービス提供者グリッドノード０３のロジック位置（つまりネットワークにおけるドメインまたは固定ＩＰアドレス）は電子出版物賃貸ネットワークプラットフォームのサービス域所有者と管理者グリッドノード０１に登録しなければならない。
【００５７】
サービス提供者グリッドノード０３は自分の内容データを管理し、サービス域所有者と管理者グリッドノード０１の調達で、内容番組リストと紹介データを電子出版物賃貸ネットワークプラットフォームに提出し、電子出版物賃貸ネットワークプラットフォームは複数のサービス提供者グリッドノード０３のデータとサービス請求者グリッドノード０２の個性化需要により、レンタル内容リストを自動的に作成し、サービス請求者グリッドノード０２に発送する。
【００５８】
図２に作成されたサービス提供者グリッドノード０３はインターネット、衛星通信網、ケーブルテレビネットワーク、ワイヤレスブロードバンドネットワーク、コンピュータネットワーク及びローカルテレホンネットワーク等を含む各種類のネットワーク５により、サービス域所有者と管理者グリッドノード０１とサービス請求者グリッドノード０２と通信でき、且つ相互操作性のあるソープ（ＳＯＡＰ）が提供したＥＭＬ情報処理フレームワークを採用し、ハイレベルの相互操作特性を図る。オンラインでそれが提供した電子出版物の内容をメンテでき、サービス請求者グリッドノード０２にサービスを提供した後、サービス域所有者と管理者グリッドノード０１からサービスの対価（サービス費用など）をもらうことができ、サービス提供者グリッドノード０１はその電子出版物の内容をプラットフォームにある内容グループユニット（出版者ユニット、物理位置は出版者ローカルでもオフサイトでもよい）に保存する。電子出版物の出版社はオンラインで電子出版物の内容をメンテ、提供することができる。サービス提供者グリッドノード０３は提供するサービスを電子出版物賃貸ネットワークプラットフォームに登録し、またそれを取り消しすることもできる。サービスの登録と取り消しにより、サービスインスタンスはサービス域のサービスインスタンスリストに登録または削除される。サービス提供者は電子出版物賃貸ネットワークプラットフォームに提供された提供者サービス要求から選択し、サービスインスタンスを登録する。サービス提供者はどんなユーザサービスをサポートするかを選択しない。電子出版物賃貸ネットワークプラットフォームはその関係を対策設置の一部としてマッピングする。図４は本発明による方法で構築された電子出版物賃貸ネットワークプラットフォームのサービス請求とサービス取得のフローチャートである。
【００５９】
（１）サービス請求者グリッドノード０２がログインする：電子出版物賃貸ネットワークプラットフォームの管理プラットフォームに登録されたサービス請求者グリッドノード０２がマルチメディア端末を起動すると、当該マルチメディア端末が自動的にログインする。サービス域所有者と管理者グリッドノード０１が当該マルチメディア端末がオンライン状態であることを知る。
【００６０】
（２）サービス域所有者と管理者グリッドノード０１がレンタル内容リストを配布する：サービス域所有者と管理者グリッドノード０１がサービス請求者のマルチメディア端末のオンライン信号を取得すると、自動的に内容リストをサービス請求者グリッドノード０２のマルチメディア端末に発送する。
【００６１】
（３）サービス請求者グリッドノード０２が機能を選択する：サービス請求者グリッドノード０２はマルチメディア端末でレンタル、放送機能を選択できる。
【００６２】
（４）レンタル内容を選択する：サービス請求者グリッドノード０２はマルチメディア端末、コンピュータ、携帯電話と人工コールシステムによりレンタルの内容を選択できる。携帯電話または人工コールシステム（コールセンター（ＣａｌｌＣｅｎｔｅｒ）、コミュニケーションセンター（ＣｏｍｍｕｎｉｃａｔｉｏｎＣｅｎｔｅｒ）、ビジネスサービスセンター（ＳｅｒｖｉｃｅＣｅｎｔｅｒＢｕｓｉｎｅｓｓ）を含むコールシステムであり、顧客と音声で直接にコミュニケーションができ、コールセンターエージェント（Ｃａｌｌ−Ｃｅｎｔｅｒ−Ａｇｅｎｔ）が顧客のレンタル電子出版物の選択、顧客のクレームを受け付け、顧客の質問を回答し、消費者サービスなどを提供するシステムである）がレンタル内容リストを取得する；
（５）ユーザ資源を検証する：サービス請求者が内容レンタルを選択してから、サービス域所有者と管理者グリッドノード０１はサービス請求者グリッドノード０２のマルチメディア端末に対して、資源検証と資金検証を行う。資源要求に合わない場合、マルチメディア端末はサービス請求者グリッドノード０２に資源選択をするように求め、資金要求に合わない場合、サービス請求者グリッドノード０２に資金問題を処理するように連絡する。サービス請求者グリッドノード０２がレンタル内容を他のサービス請求者グリッドノード０２に贈答する場合、贈答側のサービス請求者グリッドノードに対して資金検証を行う；
（６）暗号鍵を作成し、身分を作る：サービス請求者グリッドノード０２が要求に合ってから、サービス域所有者と管理者グリッドノード０１はサービス請求者グリッドノード０２と暗号鍵の作成と身分作りを行う。これでサービス提供者グリッドノード０３とサービス請求者グリッドノード０２の内容保存マルチメディア端末の間に効率よくコミュニケーションをすることができる；
（７）暗号鍵と身分をサービス提供者グリッドノード０３に伝送する：サービス域所有者と管理者グリッドノード０１は、サービス請求者グリッドノード０２の内容保存マルチメディア端末と共同で作成した暗号鍵と身分をネットワークにより関係のサービス提供者グリッドノード０３に提出するとともに、内容のレンタル許可を与える；
（８）サービス請求者とサービス提供者のセッションを起動する：サービス域所有者と管理者グリッドノード０１が暗号鍵と身分の作成と伝送を完成してから、サービス請求者グリッドノード０２と相応のサービス提供者グリッドノード０３のセッションを起動する；
（９）関係サービス提供者グリッドノード０３が暗号鍵と身分を検証する：関係サービス提供者グリッドノード０３はサービス請求者グリッドノード０２の暗号鍵と身分を検証し、レンタル内容の伝送メカニズムを配置する；
（１０）レンタル内容を伝送する：サービス提供者グリッドノード０３はサービス請求者グリッドノード０２の内容保存先であるマルチメディア端末にレンタル内容を伝送する；
（１１）借りた内容を選択し、放送する：サービス請求者グリッドノード０２がダウンロードしたレンタル内容を選択し、放送する；
（１２）内容の完全性を検証する：サービス請求者グリッドノード０２のマルチメディア端末がレンタル内容の完全性を検証する；
（１３）内容の暗号鍵を検証する：サービス請求者グリッドノード０２のマルチメディア端末がレンタル内容の暗号鍵とマルチメディア端末の暗号鍵を検証し、サービス請求者グリッドノードの放送請求を作成する；
（１４）サービス請求者グリッドノード０２の放送請求を提出する：サービス請求者グリッドノード０２のマルチメディア端末はサービス域所有者と管理者グリッドノード０１に放送請求を提出する；
（１５）放送許可暗号鍵を取得する：サービス域所有者と管理者グリッドノード０１はサービス請求者グリッドノード０２の放送請求により放送暗号鍵を計算し、またその暗号鍵をサービス請求者グリッドノード０２の目標マルチメディア端末に伝送する；
（１６）内容暗号鍵と放送暗号鍵により放送する：目標マルチメディア端末は内容暗号鍵と放送暗号鍵によりレンタル内容を放送する；
（１７）内容暗号鍵と放送暗号鍵により費用を計算する：サービス域所有者と管理者グリッドノード０１は内容暗号鍵と放送暗号鍵により、サービス請求者グリッドノード０２のレンタルに対して費用計算をし、またその費用計算と、サービス提供者グリッドノード０３との著作権協議により、料金を徴収し、費用を振り分ける。
【００６３】
図５は本発明による方法で構築された電子出版物賃貸ネットワークプラットフォームの請求受け取りとサービス提供のフローチャートである。
【００６４】
（１）サービス提供者グリッドノード０３がログインする：電子出版物賃貸ネットワークプラットフォームの管理プラットフォームに登録したサービス提供者グリッドノード０３がノードを開くと、当該グリッドノードが自動的にログインする。サービス域所有者と管理者グリッドノード０１が当該サービス提供者グリッドノード０３のノード内容サーバがオンライン状態であることを知る；
（２）サービス域所有者と管理者グリッドノード０１がサービス提供者グリッドノード０３のインスタンスを作成する：サービス域所有者と管理者グリッドノード０１は開かれたサービス提供者グリッドノード０３の内容サーバの内容により、サービス提供者グリッドノード０３のインスタンスを作成する；
（３）サービス提供者グリッドノード０３がサービスを提供する：サービス提供者グリッドノード０３はサービス域所有者と管理者グリッドノード０１に転送されるサービス請求者グリッドノード０２のサービス請求を待つ；
（４）資源を検証する：サービス域所有者と管理者グリッドノード０１に転送されるサービス請求者グリッドノード０２のサービス請求により、サービス提供者グリッドノード０３はサービス資源を検証する；
（５）サービス請求者グリッドノード０２の暗号鍵と身分を検証する：サービス域所有者と管理者グリッドノード０１より転送されるサービス請求者グリッドノード０２のサービス請求により、サービス提供者グリッドノード０３がサービス請求者グリッドノード０２の暗号鍵と身分を検証する；
（６）サービス請求者グリッドノード０２のサービス請求を検証する：サービス域所有者と管理者グリッドノード０１より転送されるサービス請求者グリッドノード０２のサービス請求により、サービス提供者グリッドノード０３がサービス請求者グリッドノード０２のサービス請求を検証する；
（７）レンタル内容を伝送する：サービス域所有者と管理者グリッドノード０１より転送されるサービス請求者グリッドノード０２のサービス請求により、サービス提供者グリッドノード０３はサービス請求者グリッドノード０２の内容保存先であるマルチメディア端末にレンタル内容を伝送する；
（８）サービス勘定請求：サービス請求者グリッドノード０２のサービス請求を済んでから、サービス域所有者と管理者グリッドノード０１にサービス勘定請求を発送し、サービス費用を徴収する。
【図面の簡単な説明】
【００６５】
【図１】本発明による電子出版物賃貸ネットワークプラットフォームを構築する方法で構築されたプラットフォームにおけるグリッドノードの構成図である。
【図２】本発明による方法で構築された電子出版物賃貸ネットワークプラットフォームの情報サービスグリッドにおける各種グリッドノードの実施例の具体構成図である。
【図３】本発明による電子出版物賃貸ネットワークプラットフォームを構築する方法で作成されたサービス請求者グリッドノードがネットワークに接続する各種模式図である。
【図４】本発明による方法で構築された図１に示された構成の電子出版物賃貸ネットワークプラットフォームのサービス請求者グリッドノードのサービス請求とサービス取得のフローチャートである。
【図５】本発明による方法で構築された図１に示された構成の電子出版物賃貸ネットワークプラットフォームのサービス提供者グリッドノードのサービス申請取得とサービス提供のフローチャートである。
【図１】
2009507282.tif 000003
【図２】
2009507282.tif 000004
【図３】
2009507282.tif 000005
【図４】
2009507282.tif 000006
【図５】
2009507282.tif 000007
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
電子出版物賃貸ネットワークプラットフォームを構築する方法において、一つの特徴は三つのグリッドノードグループを作成することである：
サービス管理グリッドノードから構成され、各種類の通信リンクにより接続し、ランダムにサービス管理グリッドノードを添削し、グリッドコンピューティングを制御とスケジュリングする役割を果たすサービス管理グリッドノードグループを作成する；
電子出版物出版者グループを含むサービス提供グリッドノードから構成され、各種類の通信リンクにより接続し、ランダムにサービス提供グリッドノードを添削し、電子出版物の属性と内容を提供するとともに、それが提供した電子出版物の内容をオンラインでメンテする役割を果たすサービス提供グリッドノードグループを作成する；
電子出版物消費者グループを含むサービス請求グリッドノードから構成され、各種類の通信リンクにより接続し、ランダムにサービス請求者グリッドノードを添削し、サービス請求者グリッドノードはサービス管理グリッドノードグループが提供したサービスルートによりサービスを取得し、電子出版物の属性閲覧と内容放送の役割を果たすサービス請求グリッドノードグループを作成する；
もう一つの特徴は電子出版物の属性と内容を取得した後、オフラインで一般テレビを使ってサービスの内容を放送できるサービス請求グリッドノードグループを作成することである；
さらにもう一つの特徴はサービスを使用した後、以降のネットワークリンクのときにサービス請求グリッドノードと相応のサービス管理グリッドノード及び相応のサービス提供グリッドノードとのｅビジネス関係を作り、電子出版物のグリッドサービス費用の支払いを完成するサービス請求グリッドノードグループを作成することである；
前記サービス提供グリッドノードグループとサービス請求グリッドノードグループがサービス管理グリッドノードグループによりグリッドサービスの内容と属性情報のコミュニケーションを行い、サービス管理グリッドノードグループ中の一つのサービス管理グリッドノードにセッションとサービスを作成し、本発明の電子出版物賃貸ネットワークプラットフォームを構築する。
【請求項２】
具体的な構築方法として、
＜１＞電子出版物賃貸ネットワークプラットフォームのサービス管理グリッドノードグループを作成する：ウェブサービス方式により、オープン・グリッド・サービシーズ・アーキテクチャーを利用してサービス管理グリッドノードの構造異性資源差異をシールドし、サービス管理グリッドノードの空間特性をシールドし、各種類のマルチユーザ、マルチタスク機能を有するコンピュータでサービス管理グリッドノードを作成し、通信リンクによりサービス管理グリッドノードをネットワークに接続し、電子出版物賃貸ネットワークプラットフォームにおける各種類のサービス請求ルートを提供し、オンラインサービス計算を処理し、サービスマッチングレターを処理する機能を提供する第一種のグリッドノードであるサービス管理グリッドノードを作成し、電子出版物賃貸ネットワークプラットフォームのサービス管理グリッドノードグループを作成する；
＜２＞電子出版物賃貸ネットワークプラットフォームのサービス提供グリッドノードグループを作成する：ウェブサービス方式により、オープン・グリッド・サービシーズ・アーキテクチャーを利用してサービス提供グリッドノードの構造異性資源差異をシールドし、サービス提供グリッドノードの空間特性をシールドし、各種類のマルチユーザ、マルチタスク機能を有するコンピュータでサービス提供グリッドノードを作成し、通信リンクによりサービス提供グリッドノードをネットワークに接続し、電子出版物賃貸ネットワークプラットフォームにおける電子出版物の属性情報を処理し、電子出版物の内容を処理し、電子出版物のサービス暗号鍵を処理する機能を提供する第三種のグリッドノードであるサービス提供グリッドノードを作成し、電子出版物賃貸ネットワークプラットフォームのサービス提供グリッドノードグループを作成する；
＜３＞電子出版物賃貸ネットワークプラットフォームのサービス請求グリッドノードグループを作成する：一台のデジタル著作権管理機能を有するリモコン付きのマルチメディア端末を配置し、一般テレビにより放送し、各種類のネットワーク接続方式によりプラットフォームに接続することを許容し、サービス管理グリッドノードグループに自動的にサービス管理グリッドノードを探し、サービス提供グリッドノードとサービス関係を動的に作ってサービス内容とサービス暗号鍵を取得し、一般テレビによりサービス内容を放送する第二種のグリッドノードであるサービス請求グリッドノードを作成し、電子出版物賃貸ネットワークプラットフォームのサービス請求グリッドノードグループを作成することを特徴とする請求項１に記載の電子出版物賃貸ネットワークプラットフォームを構築する方法。
【請求項３】
構築された電子出版物賃貸ネットワークプラットフォームはサービス請求を分析し、サービス請求グリッドノードグループが自動的に該当するサービスを探し、計算するサービス請求グリッドノードグループの機能を有し、サービス・オンデマンドとワン・クリック操作サービスを作成することを特徴とする請求項１に記載の電子出版物賃貸ネットワークプラットフォームを構築する方法。
【請求項４】
作成されたサービス請求グリッドノードグループはサービスを取得した後、オフラインで一般テレビを使用して許可を受けた情報内容を独自で放送できる機能を有することを特徴とする請求項１に記載の電子出版物賃貸ネットワークプラットフォームを構築する方法。
【請求項５】
構築された電子出版物賃貸ネットワークプラットフォームはコールセンターサービス、ネットワークサービス及び移動ショートメッセージサービスのサービス請求ルートを含むことを特徴とする請求項１に記載の電子出版物賃貸ネットワークプラットフォームを構築する方法。
【請求項６】
構築された電子出版物賃貸ネットワークプラットフォームは内容分布の機能を有し、自動的にサービス内容属性情報を再構成する機能を有し、そしてサービス提供グリッドノードグループが任意にサービス内容を添削できる機能を有することを特徴とする請求項１に記載の電子出版物賃貸ネットワークプラットフォームを構築する方法。
【請求項７】
構築された電子出版物賃貸ネットワークプラットフォームにおいて作成されたサービス管理グリッドノード、サービス請求グリッドノード及びサービス提供グリッドノードは数量の制限がないことを特徴とする請求項１に記載の電子出版物賃貸ネットワークプラットフォームを構築する方法。
【請求項８】
作成されたサービス請求グリッドノードグループはインターネット、衛星通信網、ケーブルテレビネットワーク、ワイヤレスブロードバンドネットワーク、コンピュータネットワークまたはローカルテレホンネットワークという接続方式により請求項１に記載の電子出版物賃貸ネットワークプラットフォームに接続できることを特徴とする請求項１に記載の電子出版物賃貸ネットワークプラットフォームを構築する方法。
【手続補正２】
【補正対象書類名】明細書
【補正対象項目名】全文
【補正方法】変更
【補正の内容】
【発明の詳細な説明】
【発明の詳細な説明】
【０００１】
〔発明の属する技術分野〕
本発明は電子出版物賃貸ネットワークプラットフォームを構築する方法に関し、サービス管理グリッドノードグループ、サービス提供グリッドノードグループ及びサービス請求グリッドノードグループを作成し、多種類のネットワーク接続方式（例えば、インターネット、衛星通信網、ケーブルテレビネットワーク、ワイヤレスブロードバンドネットワーク、コンピュータネットワーク及びローカルテレホンネットワーク等）により電子出版物賃貸ネットワークプラットフォームを構築することに関する。電子出版物賃貸ネットワークプラットフォームにおける多くのサービス請求グリッドノードは多くのサービス提供グリッドノードが配布した各種類の電子出版物サービスを個性的に取得でき、そのサービスによる取引は該当サービス作業に関わるサービス管理グリッドノード、するサービス提供グリッドノード及びするサービス請求グリッドノードによりネットワークで清算する。
【０００２】
〔背景技術〕
電子出版物が異なる空間で異なる時間に発行すると伴い、空間と時間の制限を減少するために、電子出版物消費者がネットワーク環境で電子出版物を消費する需要が高まる一方であり、電子出版物消費者が個性を主張する電子出版物の消費を望んでいる。同時に、電子出版物出版者の電子出版物も一回の発行でグローバルに広がることを必要とする。そこで、電子出版物出版者と電子出版物消費者の間に情報と内容などのコミュニケーションが必要である。多くの電子出版物出版者の大量の電子出版物資源をデジタル著作権管理（ＤＲＭ，Ｄｉｇｉｔａｌ  Ｒｉｇｈｔｓ  Ｍａｎａｇｅｍｅｎｔ）機能のある仮想空間で集めるには、情報サービスプラットフォームを必要とし、多くの電子出版物消費者が電子出版物を取得したり借りたりするときも高効率の情報サービスとｅビジネスを提供する情報サービスプラットフォームを必要とする。
【０００３】
電子出版物出版者又は電子出版物消費者が世界各地に散ばり、その空間も時間位置もそれぞれ異なるため、グリッド技術は比較的に異なる空間と時間位置を有する情報サービスに適応する主要背景技術である。背景技術にはミドルウェア、ピアリングまたはピアツーピア（Ｐ２Ｐ，Ｐｅｅｒ-ｔｏ-Ｐｅｅｒ）、ウェブサービス(Ｗｅｂ  Ｓｅｒｖｉｃｅ)、オープン・グリッド・サービシーズ・アーキテクチャー（ＯＧＳＡ，Ｏｐｅｎ  Ｇｒｉｄ  Ｓｅｒｖｉｃｅｓ  Ａｒｃｈｉｔｅｃｔｕｒｅ）等の技術も含む。
【０００４】
〔発明の開示〕
本発明はデジタル著作権管理（ＤＲＭ，Ｄｉｇｉｔａｌ  Ｒｉｇｈｔｓ  Ｍａｎａｇｅｍｅｎｔ）機能を有し、分布式で随時添削できる電子出版物資源を有するとともに、電子出版物出版者グループと電子出版物消費者グループにｅビジネス取引を行うことができる電子出版物賃貸ネットワークプラットフォームを構築する方法を提供することを目的とする。情報技術により電子出版物出版者グループからなるサービス提供グループノードの構造異性資源差異をシールドし、電子出版物消費者グループからなるサービス請求グループノードの構造異性資源差異をシールドすることで、電子出版物出版者グループが電子出版物著作権管理に配慮した内容配布とレンタルを行うことができ、そして電子出版物消費者グループにサービスを提供した後に該当する料金を受け取ることができるようにする。電子出版物消費者グループが個性的な空間と時間に電子出版物出版者グループの提供したレンタル、購買などのサービスを取得できるようにする。また、電子出版物の配布と消費には効率的な管理と記録を有するようにする。
【０００５】
上記目的を実現するために、本発明の構築方法に下記三つの特徴がある：
一つの特徴は三つのグリッドノードグループを作成することである：
サービス管理グリッドノードから構成され、各種類の通信リンクにより接続でき、ランダムにサービス管理グリッドノードを添削でき、グリッドコンピューティングの制御とスケジュリングの役割を果たすサービス管理グリッドノードグループを作成する；
電子出版物出版者グループを含むサービス提供グリッドノードから構成され、各種類の通信リンクにより接続でき、ランダムにサービス提供グリッドノードを添削でき、電子出版物の属性と内容を提供するとともに、それが提供した電子出版物の内容をオンラインでメンテする役割を果たすサービス提供グリッドノードグループを作成する；
電子出版物消費者グループを含むサービス請求グリッドノードから構成され、各種類の通信リンクにより接続でき、ランダムにサービス請求グリッドノードを添削でき、サービス請求グリッドノードがサービス管理グリッドノードグループの提供したサービスルートによりサービスを取得し、電子出版物の属性閲覧と内容放送の役割を果たすサービス請求グリッドノードグループを作成する；
もう一つの特徴は電子出版物の属性と内容を取得した後、オフラインで一般テレビを使ってサービスの内容を放送できるサービス請求グリッドノードを作成することである；
さらにもう一つの特徴はサービスを使用した後、以降のネットワーク接続のときにサービス請求グリッドノードと相応のサービス管理グリッドノード及び相応のサービス提供グリッドノードとの間のｅビジネス関係を作り、電子出版物のレンタルサービス費用の支払いを完成するサービス請求グリッドノードを作成することである；
前記サービス提供グリッドノードグループとサービス請求グリッドノードグループがサービス管理グリッドノードグループによりグリッドサービスの内容と属性情報のコミュニケーションを行い、サービス管理グリッドノードグループ中の一つのサービス管理グリッドノードのサポートで、サービスを提供して本発明の電子出版物賃貸ネットワークプラットフォーム（以下、プラットフォームと称する）を構築する。
【０００６】
前記のように構築されたプラットフォームにおいて、プラットフォーム運営者からなるサービス管理グリッドノード、電子出版物出版者からなるサービス提供グリッドノード及び電子出版物消費者からなるサービス請求グリッドノード等三種類のグリッドノードを有し、多種類のネットワーク接続方式（例えば、インターネット、衛星通信網、ケーブルテレビネットワーク、ワイヤレスブロードバンドネットワーク、コンピュータネットワーク及びローカルテレホンネットワーク等）により、資源を相互に調達できる情報サービスグリッドである電子出版物賃貸ネットワークプラットフォームを構築する。
【０００７】
本発明により作成されたサービス管理グリッドノードグループは自動的に編成でき、任意で随時にサービス提供グリッドノードグループ中のノードとサービス請求グリッドノードグループ中のノードを添削でき、そして添削されたサービス提供グリッドノードの提供したサービス情報を自動的に添削されたサービス請求グリッドノードに配布することができる。また、サービス請求グリッドノードの個性的なサービス請求に対して処理を行った後、サービス提供グリッドノードグループの内、相応のサービスを有するサービス提供グリッドノードを調達してサービスを提供する。該当するサービス提供グリッドノードがサービスを完成した後、自動的に対応のサービス請求グリッドノードとサービス提供グリッドノードの間のサービス費用を清算する。
【０００８】
本発明により作成されたサービス提供グリッドノードグループは自動的に各サービス提供グリッドノードの個性的な電子出版物コラムなどの属性情報を配布し、その属性情報に電子出版物の作成者、発行者、購買、レンタルサービス費用などを含み、当該属性情報をサービス管理グリッドノードグループに提出する。サービス管理グリッドノードグループから発送したサービス請求情報を受けた後、相応のサービス請求グリッドノードとサービス関係作り、相応のサービスを提供する。サービスの内容に電子出版物を提出するコンテンツコードとコンテンツ暗号鍵を含む。サービス請求グリッドノードがコンテンツコードとコンテンツ暗号鍵で電子出版物の内容を使用した後、サービス管理グリッドノードと情報を交換することで、サービス提供グリッドノードとサービス請求グリッドノードとのｅビジネス業務を完成する。
【０００９】
本発明により作成されたサービス請求グリッドノードグループは自動的にサービス管理グリッドノードグループにより配布されたサービス提供グリッドノードグループが提供した電子出版物の属性内容情報を取得することができる。サービス請求グリッドノードグループ中のサービス請求グリッドノードは一般テレビとマルチメディア端末で電子出版物の属性情報を閲覧でき、消費する必要がある電子出版物を個性的に選択することができる。サービス管理グリッドノードにより相応のサービス提供グリッドノードとのサービス関係を作り、電子出版物の内容サービスを取得することができる。サービスの内容に電子出版物を提出するコンテンツコードとコンテンツ暗号鍵を含む。サービス請求グリッドノードがコンテンツコードとコンテンツ暗号鍵で電子出版物の内容を使用した後、ネットワークでサービス費用を支払う。
【００１０】
本発明の電子出版物賃貸ネットワークプラットフォームに三つのグリッドノードグループが作成されるため、三つのグループを構成する三種類のグリッドノードを有する：第一種のグリッドノードは電子出版物賃貸ネットワークプラットフォームの運営者からなるサービス管理グリッドノードであり；第二種のグリッドノードは電子出版物消費者グループからなるサービス請求グリッドノードであり；第三種のグリッドノードは電子出版物出版者グループからなるサービス提供グリッドノードであり；この三種類のグリッドノードの間の情報コミュニケーション、内容伝送、費用支払いで電子出版物のレンタルを完成する。
【００１１】
前記情報サービスグリッドにより電子出版物賃貸ネットワークプラットフォームを構築する具体的な方法は、
＜１＞電子出版物賃貸ネットワークプラットフォームのサービス管理グリッドノードグループを作成する：ウェブサービス（Ｗｅｂ  Ｓｅｒｖｉｃｅ）方式により、オープン・グリッド・サービシーズ・アーキテクチャー（ＯＧＳＡ，Ｏｐｅｎ  Ｇｒｉｄ  Ｓｅｒｖｉｃｅｓ  Ａｒｃｈｉｔｅｃｔｕｒｅ）を利用してサービス管理グリッドノードの構造異性資源差異をシールドし、サービス管理グリッドノードの空間特性をシールドし、各種類のマルチユーザ、マルチタスク機能を有するコンピュータで情報通信と管理サービスソフトウェアをロードし、サービス管理グリッドノードを作成する。通信リンクによりサービス管理グリッドノードをネットワークに接続する。電子出版物賃貸ネットワークプラットフォームにおける各種類のサービス請求ルートを提供し、オンラインサービス計算を処理し、サービスマッチングを処理するなどの機能を有する第一種のグリッドノードであるサービス管理グリッドノードを作成し、電子出版物賃貸ネットワークプラットフォームのサービス管理グリッドノードグループを作成する。
【００１２】
＜２＞電子出版物賃貸ネットワークプラットフォームのサービス提供グリッドノードグループを作成する：ウェブサービス（Ｗｅｂ  Ｓｅｒｖｉｃｅ）方式により、オープン・グリッド・サービシーズ・アーキテクチャー（ＯＧＳＡ，Ｏｐｅｎ  Ｇｒｉｄ  Ｓｅｒｖｉｃｅｓ  Ａｒｃｈｉｔｅｃｔｕｒｅ）を利用してサービス管理グリッドノードの構造異性資源差異をシールドし、サービス管理グリッドノードの空間特性をシールドし、各種類のマルチユーザ、マルチタスク機能を有するコンピュータで情報コードとランダム暗号鍵生成ソフトウェアをロードし、サービス管理グリッドノードを作成する。通信リンクによりサービス提供グリッドノードをネットワークに接続する。電子出版物賃貸ネットワークプラットフォームにおける電子出版物の属性情報を処理し、電子出版物の内容を処理し、電子出版物のサービス暗号鍵を処理するなどの機能を有する第三種のグリッドノードであるサービス提供グリッドノードを作成し、電子出版物賃貸ネットワークプラットフォームのサービス提供グリッドノードグループを作成する。
【００１３】
＜３＞電子出版物賃貸ネットワークプラットフォームのサービス請求グリッドノードグループを作成する：一台のデジタル著作権管理機能を有するリモコン付きのマルチメディア端末を配置し、一般テレビにより放送し、ネットワーク接続方式によりサービス請求グリッドノードをプラットフォームに接続することを許容する；具体的には、当該マルチメディア端末の複数のネットワーク接続方式によりサービス提供グリッドノードをネットワークに接続する。サービス請求グリッドノードのマルチメディア端末は組み込みソフトウェアにより、サービス管理グリッドノードグループに自動的にサービス管理グリッドノードを探し、サービス管理グリッドノードが配布した電子出版物の属性内容情報を取得し、コラムを閲覧してサービスを選択してから、サービス管理グリッドノードにより、選択したサービスに該当するサービス提供グリッドノードとサービス関係連結を作成し、サービス提供グリッドノードが提供した電子出版物のコンテンツコードとコンテンツ暗号鍵を取得した後、サービス請求グリッドノードはネットワークに接続している状態またはオフラインの状態でエンコード・デコード回路により一般テレビに放送用のビデオ信号を提供することができる。電子出版物賃貸ネットワークプラットフォームにおける電子出版物の選択、放送及びサービス費用の支払いを処理する機能を有し、自動的にサービス管理グリッドノードを探し、サービス提供グリッドノードとサービス関係を動的に作れ、一般テレビによりサービス内容を放送する第二種のグリッドノードであるサービス請求グリッドノードを作成し、電子出版物賃貸ネットワークプラットフォームのサービス請求グリッドノードグループを作成する。
【００１４】
前記のように、構築された電子出版物賃貸ネットワークプラットフォームの組織は動的に変わる。三種類のグリッドノードの情報コミュニケーションは背景技術の一つである相互操作性のあるソープ（ＳＯＡＰ，Ｓｉｍｐｌｅ  Ｏｂｊｅｃｔ  Ａｃｃｅｓｓ  Ｐｒｏｔｏｃｏｌ）と拡張可能なマーク付け言語（ＸＭＬ，Ｅｘｔｅｎｓｉｂｌｅ  Ｍａｒｋｕｐ  Ｌａｎｇｕａｇｅ）を採用する。サービス情報と内容情報の変化及び実行環境の変化の中に、プラットフォームは常にセルフモニタリングを行い、実行状態を最適化し、自主的に動的に配置する。プラットフォームが由緒不明なアタックを受けた場合、または潜在故障が発見した場合、自動的にプラットフォームの対策規則（サービス選択を含め）、サービスマッピング、イベント処理などを設定することで、プラットフォームの組織を制御し、プラットフォームのサービス特性を新たに調整し、正しくかつ安定的に実行させ、プラットフォームの良質サービスを確保することができる。
【００１５】
サービス請求グリッドノードグループのユーザが面するのは仮想的な、巨大な電子出版物賃貸ネットワークプラットフォームである。サービス請求グリッドノード、サービス管理グリッドノード、サービス提供グリッドノードの間のインタラクティブにより、サービス請求グリッドノードのユーザは簡潔で優しい目次画面に面するだけで、サービス提供グリッドノードの空間位置を知る必要がない。サービス請求グリッドノードのユーザはどこでも、いつでも電子出版物賃貸ネットワークプラットフォームのサービスを取得できるようになる。
【００１６】
本発明の電子出版物賃貸ネットワークプラットフォームを構築する方法に下記顕著な特徴がある：
＜１＞前記のように、本発明の構築方法はマルチメディア端末設備により電子出版物のコンテンツコードとコンテンツ暗号鍵を記憶し、記憶が終了した後、情報サービスグリッドがない場合に著作権情報とサービス情報を取得した内容サービスを使用することができる。サービス請求グリッドノードグループのユーザは電子出版物のレンタルサービスを消費するとき、一般テレビにより放送し、コンピュータを必要としない。
【００１７】
＜２＞前記のように、本発明におけるサービス請求グリッドノードのマルチメディア端末は複数のネットワーク接続方式があり、その組み込みソフトウェアは自動的にサービス管理グリッドノードを探す。サービス管理グリッドノードの支援で、マルチメディア端末の組み込みソフトウェアは電子出版物賃貸ネットワークプラットフォームで自動的に最適なネットワークルータを探し、電子出版物の内容を取得する。サービス・オンデマンド（Ｓｅｒｖｉｃｅ  Ｏｎ  Ｄｅｍａｎｄ）とワン・クリック操作サービス（Ｏｎｅ  Ｃｌｉｃｋ  Ｉｓ  Ｅｎｏｕｇｈ）を実現する。
【００１８】
＜３＞前記のように、本発明の構築方法はグリッドにより、類オペレーティングシステムのプラットフォームを提供することである。当該プラットフォームは各グリッドノードの構造異性資源差異をシールドし、各グリッドノードの空間属性をシールドし、グリッドノード間の情報コミュニケーションにより、仮想的で容量制限のない巨大な電子出版物の内容記憶空間を提供し、このプラットフォームにおいて、情報処理は分布式で、協動で知能化である。そのサービス提供グリッドノード、サービス請求グリッドノードは任意に追加することができる。
【００１９】
＜４＞前記のように、サービス提供グリッドノードは自由に電子出版物の属性情報を添削でき、添削情報は電子出版物賃貸ネットワークプラットフォームにより自動的にサービス請求グリッドノードグループに配布される。このように、電子出版物出版者グループは自主的に所有の電子出版物の配布とサービスを制御できるようになる。プラットフォームのサービス内容は常に拡充され、どんどん豊かになるサービス内容はより多くのサービス請求消費を呼ぶ。
【００２０】
＜５＞前記のように、サービス請求グリッドノードのサービス管理グリッドノードに対する自動的な探しにより、少なくとも一つのサービス管理グリッドノードが残される場合、プラットフォームの実行管理として、自動的にサービス管理グリッドノードを添削でき、柔軟かつ便利にグリッドの処理能力を拡充し、プラットフォームのサービスを取得するサービス請求グリッドノードの数量の変化に適応するようにできる。
【００２１】
＜６＞前記のように、本発明により構築された電子出版物賃貸ネットワークプラットフォームのサービスは、サービス請求グリッドノードがサービス請求をスタートし、グリッドサービスにより番組内容をサービス請求グリッドノードのマルチメディア端末にレンタルし、サービスの時間に制限なく、内容放送時にネットワークのバンド幅に影響されないため、本発明により構築された電子出版物賃貸ネットワークプラットフォームは品質が信頼でき、優れた品質保証がある。
【００２２】
＜７＞前記のように、電子出版物の内容はサービス提供グリッドノードにより自主的に編成され、そのエンコード方式、暗号鍵の計算と放送方式はサービス提供グリッドノードにより設定されるため、サービス請求グリッドノードはサービス提供グリッドノードにより提供されたエンコード方式、暗号鍵の計算と放送方式等の属性を取得してからサービスを使用することができる。
【００２３】
＜８＞前記のように、電子出版物賃貸ネットワークプラットフォームは相互操作性のあるソープ（ＳＯＡＰ，Ｓｉｍｐｌｅ  Ｏｂｊｅｃｔ  Ａｃｃｅｓｓ  Ｐｒｏｔｏｃｏｌ）、拡張可能なマーク付け言語（ＸＭＬ，Ｅｘｔｅｎｓｉｂｌｅ  Ｍａｒｋｕｐ  Ｌａｎｇｕａｇｅ）、オープン・グリッド・サービシーズ・アーキテクチャー（ＯＧＳＡ，Ｏｐｅｎ  Ｇｒｉｄ  Ｓｅｒｖｉｃｅｓ  Ａｒｃｈｉｔｅｃｔｕｒｅ）及びグリッドサービス（Ｇｒｉｄ  Ｓｅｒｖｉｃｅ）という背景技術を採用する。その背景技術の基盤が良く、機能を増やすことが便利である。
【００２４】
＜９＞前記のように、本発明により構築された電子出版物賃貸ネットワークプラットフォームは複数のサービス請求ルート（コールセンター、ネットワークオンライン及び移動ショートメッセージなど各種類のオンラインサービスルート）を使用することで、サービス提供者の請求をサービス被提供者と異なる場所で異なる時間にすることができる。
【００２５】
〔図面の簡単な説明〕
図１は本発明の電子出版物賃貸ネットワークプラットフォームを構築する方法で構築されたプラットフォームの構成図である。
【００２６】
図２は本発明による方法で構築された電子出版物賃貸ネットワークプラットフォームにおける各種類のグリッドノードの１実施例の具体構成図である。
【００２７】
図３は本発明による電子出版物賃貸ネットワークプラットフォームの構築方法で作成されたサービス請求者グリッドノードがネットワークに接続する各種模式図である。
【００２８】
図４は本発明による方法で構築された図１に示された構成の電子出版物賃貸ネットワークプラットフォームのサービス請求グリッドノードのサービス請求とサービス取得の１実施例のフローチャートである。
【００２９】
図５は本発明による方法で構築された図１に示された構成の電子出版物賃貸ネットワークプラットフォームのサービス提供者グリッドノードのサービス請求取得とサービス提供の１実施例のフローチャートである。
【００３０】
〔発明の実施の形態〕
図面と具体的な実施例にあわせて、本発明の方法を説明する。
【００３１】
図１は本発明により構築された電子出版物賃貸ネットワークプラットフォームの構成図である。図１に示されるように、本発明の方法は、まず三つのグリッドノードグループを作成する：
作成する第一のグリッドノードグループはサービス管理グリッドノードグループであり、１〜ｎ個第一種のグリッドノードであるサービス管理グリッドノード０１（またはサービス域所有者と管理者グリッドノードと称する）から構成され、プラットフォームの管理とサービス請求の調達の役割を果たす；
作成する第二のグリッドノードグループはサービス提供グリッドノードグループであり、１〜ｎ個第三種のグリッドノード（図１に示されるように）であるサービス提供グリッドノード０３（またはサービス提供者グリッドノードと称する）から構成され、電子出版物出版者グループの内容配布の役割を果たす；
作成する第三のグリッドノードグループはサービス請求グリッドノードグループであり、１〜ｎ個第二種のグリッドノード（図１に示されるように）であるサービス請求グリッドノード０２（またはサービス請求グリッドノードと称する）から構成され、電子出版物消費者グループの内容請求の役割を果たす。
【００３２】
サービス管理グリッドノードグループとサービス提供グリッドノードグループはソープ通信４により内容属性の伝送を行い、サービス管理グリッドノードグループとサービス請求グリッドノードグループはソープ４により内容請求の伝送を行い、サービス提供グリッドノードグループとサービス請求グリッドノードグループは内容データの伝送を行う。
【００３３】
前記三つの情報サービスグリッドノードグループにより電子出版物賃貸ネットワークプラットフォームを構築する。
【００３４】
前記電子出版物賃貸ネットワークプラットフォームを構築する具体的な方法は下記の通りである。
【００３５】
＜１＞電子出版物賃貸ネットワークプラットフォームのサービス管理グリッドノードグループを作成する：各種類のマルチユーザ、マルチタスク機能を有するコンピュータシステムを利用し、ウェブサービス（Ｗｅｂ  Ｓｅｒｖｉｃｅ）方式とオープン・グリッド・サービシーズ・アーキテクチャー（ＯＧＳＡ，Ｏｐｅｎ  Ｇｒｉｄ  Ｓｅｒｖｉｃｅｓ  Ａｒｃｈｉｔｅｃｔｕｒｅ）により、１〜ｎ個サービス管理グリッドノード０１を作成し、１〜ｎ個サービス管理グリッドノードの構造異性資源差異をシールドし、１〜ｎ個サービス管理グリッドノードの空間特性をシールドし、電子出版物賃貸ネットワークプラットフォーム（情報サービスグリッド）における多種類のサービス請求ルートを有し、オンラインサービス計算とサービスマッチングの機能を有する第一のグリッドノードグループであるサービス管理グリッドノードグループを作成し、電子出版物賃貸ネットワークプラットフォームの管理調達の役割を果たす。
【００３６】
＜２＞電子出版物賃貸ネットワークプラットフォームのサービス提供グリッドノードグループを作成する：各種類のマルチユーザ、マルチタスク機能を有するコンピュータシステムを利用し、ウェブサービス（Ｗｅｂ  Ｓｅｒｖｉｃｅ）方式とオープン・グリッド・サービシーズ・アーキテクチャー（ＯＧＳＡ，Ｏｐｅｎ  Ｇｒｉｄ  Ｓｅｒｖｉｃｅｓ  Ａｒｃｈｉｔｅｃｔｕｒｅ）により、１〜ｎ個サービス提供グリッドノード０３を作成し、１〜ｎ個サービス提供グリッドノードの構造異性資源差異をシールドし、１〜ｎ個サービス提供グリッドノードの空間特性をシールドし、電子出版物賃貸ネットワークプラットフォーム（情報サービスグリッド）における各種類の電子出版物の内容を含み、サービス管理グリッドノードグループ及びサービス請求グリッドノードグループとネットワークサービスを行える第三のグリッドノードグループであるサービス提供グリッドノードグループを作成し、電子出版物賃貸ネットワークプラットフォームの内容提供の役割を果たす。
【００３７】
＜３＞電子出版物賃貸ネットワークプラットフォームのサービス請求グリッドノードグループを作成する：デジタル著作権管理機能のあるマルチメディア端末を配置し、１〜ｎ個サービス請求グリッドノード０２を作成する。当該マルチメディア端末はリモコンで操作し、一般テレビで目次閲覧と内容放送を行い、複数のネットワーク接続方式を有する。電子出版物賃貸ネットワークプラットフォーム（情報サービスグリッド）における各種類の電子出版物の内容を使用し、サービス管理グリッドノードグループ及びサービス提供グリッドノードグループとネットワークサービスを行える第二のグリッドノードグループであるサービス請求グリッドノードグループを作成し、電子出版物賃貸ネットワークプラットフォームの内容消費の役割を果たす。
【００３８】
本発明により構築された電子出版物賃貸ネットワークプラットフォームにおいて作成されたサービス管理グリッドノード、サービス請求グリッドノード及びサービス提供グリッドノードはいずれも数量の制限がない。図１に示されるように、電子出版物賃貸ネットワークプラットフォームにおける第一のグリッドノードグループであるサービス管理グリッドノードグループ中の１〜ｎ個サービス管理グリッドノード０１、第二のグリッドノードグループであるサービス提供グリッドノードグループ中の１〜ｎ個サービス提供グリッドノード０３及び第三のグリッドノードグループであるサービス請求グリッドノードグループ中の１〜ｎ個サービス請求グリッドノード０２はいずれも数量の制限がない。
【００３９】
前記のように、本発明による電子出版物賃貸ネットワークプラットフォームはサービス請求を分析し、サービス請求グリッドノードグループが自動的に該当するサービスを探し、計算するサービス請求グリッドノードグループの機能を有し、サービス・オンデマンドとワン・クリック操作サービスを作成する。
【００４０】
図１に示されるように、電子出版物賃貸ネットワークプラットフォームにおけるサービス管理グリッドノードグループは少なくとも一つのサービス管理グリッドノード０１を含み、サービス提供グリッドノードグループは少なくとも一つのサービス提供グリッドノード０３を含み、サービス請求グリッドノードグループは少なくとも一つのサービス請求グリッドノード０２を含む。また、構築された電子出版物賃貸ネットワークプラットフォームは内容分布の機能を有し、自動的にサービスの内容属性情報を再構成する機能を有し、そしてサービス提供グリッドノードが任意にサービス内容を添削できる機能を有する。
【００４１】
図１に示されるように、電子出版物賃貸ネットワークプラットフォームにおけるサービス管理グリッドノードグループ中の１〜ｎ個サービス管理グリッドノード０１とサービス提供グリッドノードグループ中の１〜ｎ個サービス提供グリッドノード０３との間に、背景技術としての相互操作性のあるソープ（ＳＯＡＰ，Ｓｉｍｐｌｅ  Ｏｂｊｅｃｔ  Ａｃｃｅｓｓ  Ｐｒｏｔｏｃｏｌ）を採用して内容属性の伝送を行う；電子出版物賃貸ネットワークプラットフォームにおけるサービス管理グリッドノードグループ中の１〜ｎ個サービス管理グリッドノード０１とサービス請求グリッドノードグループ中の１〜ｎ個サービス請求グリッドノード０２との間に、背景技術としての相互操作性のあるソープ（ＳＯＡＰ，Ｓｉｍｐｌｅ  Ｏｂｊｅｃｔ  Ａｃｃｅｓｓ  Ｐｒｏｔｏｃｏｌ）を採用して内容請求の伝送を行う。
【００４２】
前記本発明が採用した背景技術の一つであるソープ（ＳＯＡＰ，Ｓｉｍｐｌｅ  Ｏｂｊｅｃｔ  Ａｃｃｅｓｓ  Ｐｒｏｔｏｃｏｌ）は分散または分布式の環境で情報交換のための軽量のプロトコルであり、拡張可能なマーク付け言語（ＸＭＬ，Ｅｘｔｅｎｓｉｂｌｅ  Ｍａｒｋｕｐ  Ｌａｎｇｕａｇｅ）によるプロトコルであり、通信プロトコルとして、多種類のプログラミング言語で多種類のオペレーティングシステム（例えば、Ｗｉｎｄｏｗｓ(登録商標）、Ｓｏｌａｒｉｓ、Ｍａｃ  ＯＳ  ＵＮＩＸ（登録商標）、ＬＩＮＵＸなど）と多種類のコンピュータプラットフォーム（例えば、ＩＢＭ  ＰＣ、ＡＰＰＬＥ  Ｐｏｗｅｒ  ＭＡＣ、ＳＵＮ  ＷｏｒｋＳｔａｔｉｏｎなど）で実現できる。ソープは１）情報内容と、送信者と、受信と処理するもの及びフレームワークをどう処理するかを定義するソープエンベロープ（ＳＯＡＰ  ｅｎｖｅｌｏｐ）と、２）アプリケーションプログラムが必要とするデータタイプのインスタンスを表示するためのソープのエンコーディングルール（ＳＯＡＰ-ｅｎｃｏｄｉｎｇ-ｒｕｌｅｓ）と、３）リモートプロシジャコールと応用のプロトコルを表示するソープ表示（ＳＯＡＰ  ＲＰＣ  ｒｅｐｒｅｓｅｎｔａｔｉｏｎ）と、４）ボトムプロトコルにより情報交換（下記ＳＯＡＰプロトコル実施例のように）を行うソープバイディング（ＳＯＡＰ  ｂｉｎｄｉｎｇ）からなる。
【００４３】
下記は１〜ｎ個サービス請求グリッドノード０２が１〜ｎ個サービス管理グリッドノード０１にサーバアドレスを取得する請求を発送する例である。
===requestenvelopebegin===
<?xmlversion="1.0"encoding="UTF-8"?>
<SOAP-ENV:Envelopexmlns:SOAP-ENV="http://schemas.xmlsoap.org/soap/envelope/">
<SOAP-ENV:Header>
<SoapHeaderClass>
<STBID>0050C2262000</STBID>
<CardID>86430A5FC3122726</CardID>
<ValidCheck>24FA8798FF361F913B83BD6FlF8F3C8D</ValidCheck>
<Language>ZH_CN</Language>
</SoapHeaderClass>
</SOAP-ENV:Header>
<SOAP-ENV:Body>
<RequestServerIP>
<MAC>0050C2262000</MAC>
</RequestServerIP>
</SOAP-ENV:Body>
</SOAP-ENV:Envelope>
===requestenvelopeend===
下記は１〜ｎ個サービス管理グリッドノード０１が１〜ｎ個サービス請求グリッドノード０２にサーバアドレスを取得することに対する応答を与える例である。
===responseenvelopebegin===
<?xmlversion="1.0"encoding="UTF-8"?>
<soap:Envelopexmlns:soap="http://schemas.xmlsoap.org/soap/envelope/">
<soap:Body>
<RequestServerIPRespxmlns="http://www.mv3.cn/services/">
<RequestServerIPResult>http://211.161.197.178/WebService/</RequestServerIPResult>
</RequestServerIPResp>
</soap:Body>
</soap:Envelope>
===responseenvelopeend===
図２は三種類のグリッドノードの１実施例の具体構成図である。
【００４４】
図２に示されるように、サービス管理グリッドノードグループ中のサービス管理グリッドノード０１は操作対策を設置するとともに、センターの動作をモニターするものであり、あらゆるサービスインスタンスの登録と取り消しや、サービス品質制御のメンテや、手動によるフェイルオーバー処理を含み、またサービス提供グリッドノード０３とサービス請求グリッドノード０２の身分検証と、サービス管理と、データセキュリティとを行い、電子出版物のコラム配布と発送を処理し、サービス費用の受け取りと支払いを取り扱う。
【００４５】
本発明により構築された電子出版物賃貸ネットワークプラットフォームはコールセンターサービス、ネットワークサービス及び移動ショートメッセージサービスなどのサービス請求ルートを含む。図２に示されるように、サービス管理グリッドノードグループのサービス管理グリッドノード（サービス域所有者と管理者グリッドノード）０１にはコールセンターサービス１０１と、移動ショートメッセージとＷＡＰネットワークサービス１０２と、ＷＷＷネットワークサービス１０３と、オンライン管理１０４と、電子出版物コラム配布１０６と、身分確認と料金処理１０７と、サービス管理１０８及びネットワーク接続ルータ１０５が作成されている。
【００４６】
コールセンターサービス１０１は、１〜ｎ個サービス請求グリッドノード０２がサービス普通電話サービス２０１（選択可能）により人工方式でサービス管理グリッドノード０１に発送したサービス請求を受け取り、当該コールセンターサービスはサービス問い合わせ、ビル問い合わせ、レンタル内容、ユーザクレームなどを含み、具体的なサービス内容は下記の通りである。
【００４７】
サービス問い合わせ：ユーザに機能、使用方法、料金徴収方式などを紹介する；
ビル問い合わせ：ユーザにリアルタイムのビル情報を提供する；
レンタル内容：ユーザのサービス請求を受け取り、確認する；
ユーザクレーム：ユーザのクレームを受付け、ユーザの合理的な提案を記録することもできる。
【００４８】
移動ショートメッセージとＷＡＰネットワークサービス１０２は、１〜ｎ個サービス請求グリッドノード０２がサービス携帯電話サービス２０２（選択可能）によりショートメッセージ方式でサービス管理グリッドノード０１に発送したサービス請求に応答し、ショートメッセージ方式で確認の情報を返送する。また、ユーザが選択できるように、ワイヤレスアプリケーションプロトコル（ＷＡＰ，Ｗｉｒｅｌｅｓｓ  Ａｐｐｌｉｃａｔｉｏｎ  Ｐｒｏｔｏｃｏｌ）のネットワークサービス方式で人気出版物注文情報を提供する。
【００４９】
ネットワークサービス１０３は、１〜ｎ個サービス請求グリッドノード０２がサービスホームページサービス（選択可能）によりネットワーク閲覧の方式でサービス管理グリッドノード０１に発送したサービス請求に応答する。ワールドワイドウェブ（ＷＷＷ，Ｗｏｒｌｄ  Ｗｉｄｅ  Ｗｅｂ）によるネットワークサービスはサービス問い合わせ、ビル問い合わせ、レンタル内容、ユーザクレームなどを含み、具体的なサービス内容は下記の通りである。
【００５０】
サービス問い合わせ：ユーザに機能、使用方法、料金徴収方式などを紹介する；
ビル問い合わせ：ユーザにリアルタイムのビル情報を提供する；
レンタル内容：ユーザのサービス請求を受け取り、確認する；
ユーザクレーム：ユーザのクレームを受付け、ユーザの合理的な提案を記録することもできる。
【００５１】
電子出版物コラム配布１０６はサービス提供グリッドノードグループの１〜ｎ個サービス提供グリッドノード０３が提供した電子出版物コラムをサービス請求グリッドノードグループの１〜ｎ個サービス請求グリッドノード０２に配布する。
【００５２】
身分確認と料金処理１０７はサービス提供グリッドノードグループの１〜ｎ個サービス提供グリッドノード０３とサービス請求グリッドノードグループの１〜ｎ個サービス請求グリッドノード０２とがレンタル業務を生じるときに身分確認と料金処理を行う。
【００５３】
サービス管理１０８はサービス提供グリッドノードグループの１〜ｎ個サービス提供グリッドノード０３とサービス請求グリッドノードグループの１〜ｎ個サービス請求グリッドノード０２のオンライン状況をモニターし、１〜ｎ個サービス請求グリッドノード０２が提出したサービス請求を、１〜ｎ個サービス提供グリッドノード０３が提出したサービスインスタンスをマッチングする。
【００５４】
ネットワーク接続ルータ１０５はインターネット、衛星ネットワーク、ワイヤレスネットワーク、ケーブルテレビネットワーク、ケーブルテレホンネットワーク、ラジオテレホンネットワーク等を含む各種類のネットワーク５に接続する役割を果たす。
【００５５】
図２に示されるように、サービス請求グリッドノードグループにおいてサービス請求グリッドノード０２のユーザ２０４はマルチメディア端末２０６と一般テレビ２０５によりサービスを注文でき、マルチメディア端末２０６のリモコンにより一般テレビ２０５でサービス選択を行える。また、パソコン（ホームページ請求）２０３を選択してネットワークサービス１０３によりサービスを取得することもでき、携帯電話２０２の請求を選択して移動ショートメッセージサービス１０２によりサービスを取得することもでき、普通電話２０１の請求を選択してコールセンターの人工サービス１０１によりサービスを取得することもできる。これらのサービス請求は衛星通信網、ワイヤレス通信網、ケーブルテレビネットワーク、テレホンネットワーク及び多種類のブロードバンドネットワークによりサービス注文を行う。
【００５６】
図２に示されるように、サービス提供グリッドノードグループにおいてサービス提供グリッドノード０３の電子出版物内容３０１はサービス提供グリッドノード０３自身の条件により、物理位置の設計と建設できる（例えば、サービス提供グリッドノード０３の本部またはＩＤＣなどの場所に保存する）。サービス提供グリッドノード０３のロジック位置（つまりネットワークにおけるドメインまたは固定ＩＰアドレス）は電子出版物賃貸ネットワークプラットフォームのサービス管理グリッドノード０１に登録しなければならない。
【００５７】
サービス提供グリッドノード０３は自分の内容データを管理し、サービス管理グリッドノード０１の調達でサービス内容属性情報をサービス管理グリッドノード０１に提出し、サービス管理グリッドノード０１はサービス提供グリッドノードグループのデータとサービス請求グリッドノード０２の個性化需要により、プラットフォームのサービスを構成する内容属性情報を計算し、サービス請求グリッドノード０２に発送する。電子出版物出版社はオンラインでサービス内容属性情報をメンテ、提供することができる。サービス提供グリッドノード０３は提供するサービス内容属性情報から構成されたサービスを電子出版物賃貸ネットワークプラットフォームに登録し、またそれを取り消しすることもできる。登録と取り消しにより、サービスインスタンスはサービスインスタンスリストに追加または削除される。サービス提供グリッドノード０３はサービス請求グリッドノード０２の請求を選択し、サービス管理グリッドノード０１の調達でその請求間の関係を対策設置の一部としてマッピングする。
【００５８】
図２に示されるように、ユーザ２０４が普通電話２０１、携帯電話２０２、パソコン２０３またはマルチメディア端末２０６を利用して、コールセンターの人工サービス１０１、移動ショートメッセージサービス１０２、ネットワーク注文サービス２０３（ウェブサイト閲覧サービスまたはワイヤレスウェブサイト閲覧サービス、ＷＡＰワイヤレスアプリケーションプロトコルＷｉｒｅｌｅｓｓ  Ａｐｐｌｉｃａｔｉｏｎ  Ｐｒｏｔｏｃｏｌ）により、または、マルチメディア端末２０６から直接クリックし、つまりユーザ２０４がリモコンで（または直接にボタンを操作し）マルチメディア端末２０６で操作できる。すなわち、前記作成されたサービス請求者グリッドノード０２はインターネット、衛星通信網、ケーブルテレビネットワーク、ワイヤレスブロードバンドネットワーク、コンピュータネットワーク及びローカルテレホンネットワーク等を含む多種類のネットワーク５により、サービス域所有者と管理者グリッドノード０１及びサービス提供者グリッドノード０３と通信し、また相互操作性のあるソープ（ＳＯＡＰ:Ｓｉｍｐｌｅ  Ｏｂｊｅｃｔ  Ａｃｃｅｓｓ  Ｐｒｏｔｏｃｏｌ）と拡張可能なマーク付け言語（ＸＭＬ，Ｅｘｔｅｎｓｉｂｌｅ  Ｍａｒｋｕｐ  Ｌａｎｇｕａｇｅ）の情報処理フレームワーク（前記のように）を採用し、ハイレベルの相互操作特性を実現でき、マルチメディア端末２０６によりサービスを取得でき、サービス域所有者と管理者グリッドノード０１が提供した多種類のサービスルートにより、サービス提供者グリッドノード０３が配布した電子出版物を借りたり、購買したりすることができ、かつそのサービス費用を支払うことができる。サービス請求者グリッドノード０２はデジタル著作権管理方式により随時見ることができる。
【００５９】
図２に示されるように、作成されたサービス提供者グリッドノード０３のグリッドノードは、第三種のグリッドノード３において、少なくとも一つの電子出版物出版者からなるサービス提供者グリッドノード０３が作成されるように構成されている。サービス提供者グリッドノード０３に電子出版内容サーバ３０１を配置する。サービス提供者グリッドノード０３の内容データの保存はサービス提供者グリッドノード０３自身の条件により、物理位置の設計と建設できる（例えば、サービス提供者グリッドノード０３の本部や、ＩＤＣなどの場所に保存する）。サービス提供者グリッドノード０３のロジック位置（つまりネットワークにおけるドメインまたは固定ＩＰアドレス）は電子出版物賃貸ネットワークプラットフォームのサービス域所有者と管理者グリッドノード０１に登録しなければならない。
【００６０】
サービス提供者グリッドノード０３は自分の内容データを管理し、サービス域所有者と管理者グリッドノード０１の調達で、内容番組リストと紹介データを電子出版物賃貸ネットワークプラットフォームに提出し、電子出版物賃貸ネットワークプラットフォームは複数のサービス提供者グリッドノード０３のデータとサービス請求者グリッドノード０２の個性化需要により、レンタル内容リストを自動的に作成し、サービス請求者グリッドノード０２に発送する。
【００６１】
図２に作成されたサービス提供者グリッドノード０３はインターネット、衛星通信網、ケーブルテレビネットワーク、ワイヤレスブロードバンドネットワーク、コンピュータネットワーク及びローカルテレホンネットワーク等を含む各種類のネットワークにより、サービス域所有者と管理者グリッドノード０１とサービス請求者グリッドノード０２と通信でき、且つ相互操作性のあるソープ（ＳＯＡＰ）が提供したＥＭＬ情報処理フレームワークを採用し、ハイレベルの相互操作特性を図る。オンラインでそれが提供した電子出版物の内容をメンテでき、サービス請求者グリッドノード０２にサービスを提供した後、サービス域所有者と管理者グリッドノード０１からサービスの対価（サービス費用など）をもらうことができ、サービス提供者グリッドノード０１はその電子出版物の内容をプラットフォームにある内容グループユニット（出版者ユニット、物理位置は出版者ローカルでもオフサイトでもよい）に保存する。電子出版物出版社はオンラインで電子出版物の内容をメンテ、提供することができる。サービス提供者グリッドノード０３は提供するサービスを電子出版物賃貸ネットワークプラットフォームに登録し、またそれを取り消しすることもできる。サービスの登録と取り消しにより、サービスインスタンスはサービス域のサービスインスタンスリストに追加または削除される。サービス提供者は電子出版物賃貸ネットワークプラットフォームに提供された提供者サービス要求から選択し、サービスインスタンスを登録する。サービス提供者はどんなユーザサービスをサポートするかを選択しない。電子出版物賃貸ネットワークプラットフォームはその関係を対策設置の一部としてマッピングする。
【００６２】
図３はサービス請求グリッドノードが複数の方式によりネットワークに接続する図である。
【００６３】
本発明により作成されたサービス請求グリッドノードグループはインターネット、衛星通信網、ケーブルテレビネットワーク、ワイヤレスブロードバンドネットワーク、コンピュータネットワークまたはローカルテレホンネットワークという接続方式により電子出版物賃貸ネットワークプラットフォームに接続できる。図３に示されるように、１〜ｎ個サービス請求グリッドノード０２は多種類の接続方式により電子出版物賃貸ネットワークプラットフォームのサービスを取得する。
【００６４】
サービス請求グリッドノード０２−１がＡＤＳＬ（Ａｓｙｍｍｅｔｒｉｃａｌ  Ｄｉｇｉｔａｌ  Ｓｕｂｓｃｒｉｂｅｒ  Ｌｉｎｅ，非対称デジタル加入者線）を利用して、ネットワークに接続する場合は、ブロードバンド（ＡＤＳＬ）ルータ２０７を利用し、ＡＤＳＬモデム２０８（通信ゲートウェイ）により接続することができる。これがサービス請求グリッドノード０２−１の配置方案となる。
【００６５】
サービス請求グリッドノード０２−２がＦＴＴＢ（ＦＴＴＢ＋ＬＡＮ（ＦＴＴＢと略称する）：つまりＦｉｂｅｒ  Ｔｏ  Ｔｈｅ  Ｂｕｉｌｄｉｎｇ（ファイバ・ツー・ザ・ビルディング））によりネットワークに接続する場合は、ハブ２０７（ＦＴＴＢルータ）を利用し、ＦＴＴＢ通信ゲートウェイにより接続することができる。これがサービス請求グリッドノード０２−２の配置方案となる。
【００６６】
サービス請求グリッドノード０２−３がケーブル（ケーブルテレビのケーブル）によりネットワーク５に接続する場合は、ブロードバンドルータ２０７を利用し、ケーブルモデム２０８（通信ゲートウェイ）により接続することができる。これがサービス請求グリッドノード０２−３の配置方案となる。
【００６７】
サービス請求グリッドノード０２−４が衛星通信によりネットワークに接続する場合は、デジタル衛星受信機２０７を利用し、衛星通信ゲートウェイにより接続することができ、サービス請求グリッドノード０２−４の配置方案となる。
【００６８】
サービス請求グリッドノード０２−５がワイヤレスによりネットワークに接続する場合は、ワイヤレスルータ２０７を利用し、ワイヤレス通信ゲートウェイにより接続することができる。これがサービス請求グリッドノード０２−５の配置方案となる。
【００６９】
前記すべてのサービス請求グリッドノード０２の配置方案の内、サービス請求グリッドノード０２はいずれかの配置方案を選択してネットワークに接続することができる。全ての配置方案において、サービス請求グリッドノード０２はいずれも一般テレビ２０５とマルチメディア端末２０６により電子出版物を観賞する。本発明により作成されたサービス請求グリッドノードグループはサービスを取得した後、オフラインで一般テレビを使用して許可を受けた情報内容を独自に放送できる機能を有する。ダウンロードの方法で許可された情報内容を放送することができる。サービス請求者グリッドノード０２で構成された放送形式はオフラインで許可を受けた情報内容を独自に放送するものであり、または、オンラインで許可を受けた情報内容を放送するものである。
【００７０】
電子出版物賃貸ネットワークプラットフォームのサービス請求者グリッドノードにおいて、サービス・オンデマンドまたはワン・クリック操作サービス（つまり、直接にマルチメディア端末で情報内容を閲覧する）による情報サービスのグリッドノード方式を作成する。
【００７１】
全てのサービス請求者グリッドノード０２の配置方案に、サービス請求者グリッドノード０２が前記サービス域所有者と管理者グリッドノード０１が提供するサービス請求ルートにより、サービス域所有者と管理者グリッドノード０１にサービス請求を提出する。
【００７２】
図４はサービス請求グリッドノードのサービス請求とサービス取得の１実施例のフローチャートである。
【００７３】
ステップ１で、サービス請求グリッドノードが自動的にログインし、つまりサービス請求者がログインする：
電子出版物賃貸ネットワークプラットフォームに登録したサービス請求グリッドノード０２がマルチメディア端末を起動すると、当該サービス請求グリッドノード０２が自動的にログインする。サービス管理グリッドノード０１が当該サービス請求グリッドノード０２のマルチメディア端末がオンライン状態であることを知る；
ステップ２で、サービス管理グリッドノード０１がグリッドサービス内容属性情報を配布し、つまりサービス域所有者と管理者がレンタル内容リストを配布する：
サービス管理グリッドノード０１がサービス請求グリッドノード０２のマルチメディア端末のオンライン信号を取得すると、自動的にグリッドサービス内容属性情報であるレンタル内容リストを当該サービス請求グリッドノード０２のマルチメディア端末に発送する；
ステップ３で、サービス請求グリッドノードがサービス業務を選択する：
サービス請求グリッドノード０２であるサービス請求者がサービスを選択し、マルチメディア端末でレンタルサービスまたは放送サービスというサービス機能を選択する；
ステップ４で、サービス資源を選択する：
サービス請求グリッドノードは、マルチメディア端末、コンピュータ、携帯電話と人工コールシステムにより、グリッドサービス内容属性情報からサービス資源であるレンタル内容を選択できる；
ステップ５で、サービス資源を検証し、つまりサービス請求者の資源を検証する：
サービス請求グリッドノードであるサービス請求者がサービス資源を選択してから、サービス管理グリッドノードはサービス請求グリッドノードのマルチメディア端末に対して資源と資金の検証を行う。資源要求に合わない場合、マルチメディア端末はサービス請求グリッドノードに資源選択をするように求め、資金要求に合わない場合、サービス請求グリッドノードに資金問題を処理するように連絡する；
ステップ６で、サービス請求グリッドノードとサービス提供グリッドノードとの間にランダムセッション身分と暗号鍵を作成する：
サービス請求グリッドノードが資源要求に合ってから、サービス管理グリッドノードはサービス請求グリッドノードと暗号鍵の作成と身分作りを行い、サービス管理グリッドノードはサービス提供グリッドノードと暗号鍵の作成と身分作りを行う。これでサービス提供グリッドノードとサービス請求グリッドノードとの間に効率よくコミュニケーションをすることができる；
ステップ７で、サービス請求グリッドノードとサービス提供グリッドノードがセッション身分と暗号鍵を取得する：
サービス管理グリッドノードはセッション身分と暗号鍵をサービス提供グリッドノードに伝送するとともに、サービス管理グリッドノードはセッション身分と暗号鍵をサービス請求グリッドノードに伝送する；
ステップ８で、サービス請求グリッドノードとサービス提供グリッドノードのセッションを起動する：
サービス管理グリッドノードはセッション身分と暗号鍵の作成と伝送を完成してから、サービス請求グリッドノードと相応のサービス提供グリッドノードのセッションを起動し、つまりサービス請求者とサービス提供者のセッションを起動する；
ステップ９で、セッション身分と暗号鍵を照合する：
関係サービス提供グリッドノードであるサービス提供者はサービス請求グリッドノードであるサービス請求者のセッション身分と暗号鍵を検証し、サービス内容の伝送メカニズムを配置する；
ステップ１０で、レンタル内容を伝送し、サービス暗号鍵を伝送する：
サービス提供グリッドノードはサービス請求グリッドノードのマルチメディア端末にサービス（レンタル）内容とサービス暗号鍵を伝送する；
ステップ１１で、ダウンロードした（借りた）サービス内容を選択する：
サービス請求グリッドノードはダウンロードした（借りた）サービス内容を選択し、放送する；
ステップ１２で、内容の正しさを検証する：
サービス請求グリッドノードのマルチメディア端末はサービス内容の正しさと完全性を検証する；
ステップ１３で、暗号鍵の正しさを検証する：
サービス請求グリッドノードのマルチメディア端末はサービス暗号鍵とマルチメディア端末の暗号鍵を検証し、サービス請求グリッドノードの放送請求を作成する；
ステップ１４で、サービス放送の請求を提出する：
サービス請求グリッドノードのマルチメディア端末は放送請求を提出し、サービス管理グリッドノードは放送請求を処理する；
ステップ１５で、放送許可暗号鍵を取得する：
サービス管理グリッドノードはサービス請求グリッドノードの放送請求により放送暗号鍵を計算し、またその放送暗号鍵をサービス請求グリッドノードのマルチメディア端末に伝送する；
ステップ１６で、サービス内容、サービス暗号鍵および放送暗号鍵によりサービス内容を放送する：
サービス請求グリッドノードのマルチメディア端末はサービス内容、サービス暗号鍵および放送暗号鍵によりサービス内容を放送する；
ステップ１７で、サービス属性によりサービス費用を支払う：
サービス管理グリッドノードはサービス暗号鍵と放送暗号鍵により、サービス請求グリッドノードのレンタルに対して費用計算をし、またその費用計算と、サービス提供グリッドノードとの著作権協議により、料金を徴収し、費用を振り分ける。
【００７４】
図５はサービス提供グリッドノードのサービス請求受け取りとサービス提供のフローチャートである。
【００７５】
図５に示されるように、
ステップ１で、サービス提供グリッドノードであるサービス提供者が自動的にログインする：
電子出版物賃貸ネットワークプラットフォームに登録したサービス提供グリッドノードがノードを開くと、当該ノードが自動的にログインする。サービス管理グリッドノードが当該サービス提供グリッドノードの内容サービスがオンライン状態であることを知る；
ステップ２で、サービス提供グリッドノードであるサービス域所有者と管理者がサービス提供グリッドノードのインスタンスを作成する：
サービス提供グリッドノードは当該ノードのサービス内容属性情報をサービス管理グリッドノードに伝送する；
ステップ３で、サービス提供グリッドノードがサービス提供インスタンスを分解し、つまりサービス提供グリッドノードがサービスを提供する：
サービス提供グリッドノードはサービス管理グリッドノードに転送されたサービス請求グリッドノードのサービス請求を待つとともに、当該サービス提供グリッドノードのサービス内容属性情報の添削と費用計算を行う；
ステップ４で、資源を検証する：
サービス管理グリッドノードに転送されたサービス請求グリッドノードのサービス請求を受けたとき、当該サービス提供グリッドノードがサービス資源を検証する；
ステップ５で、サービス請求グリッドノードの暗号鍵と身分を検証する：
サービス管理グリッドノードに転送されたサービス請求グリッドノードのサービス請求により、当該サービス提供グリッドノードがサービス請求グリッドノードの暗号鍵と身分を検証する；
ステップ６で、サービス資源を検証する：
サービス提供グリッドノードがサービス請求グリッドノードのサービス請求を分解し、サービス内容の要求を知り、またサービス請求グリッドノードのサービス請求に対して資源検証をする；
ステップ7で、サービス内容を伝送し、サービス暗号鍵を伝送する：
前記身分、暗号鍵と資源の検証により、サービス提供グリッドノードはサービス請求グリッドノードの内容保存目的地であるマルチメディア端末にレンタル内容とサービス暗号鍵を伝送する；
ステップ８で、サービス勘定請求：
サービス提供グリッドノードがサービス請求グリッドノードのサービス請求を済んでから、サービス管理グリッドノードにサービス勘定請求と暗号鍵を発送し、サービス費用を徴収する。
【図面の簡単な説明】
【００７６】
【図１】本発明による電子出版物賃貸ネットワークプラットフォームを構築する方法で構築されたプラットフォームにおけるグリッドノードの構成図である。
【図２】本発明による方法で構築された電子出版物賃貸ネットワークプラットフォームの情報サービスグリッドにおける各種グリッドノードの実施例の具体構成図である。
【図３】本発明による電子出版物賃貸ネットワークプラットフォームを構築する方法で作成されたサービス請求者グリッドノードがネットワークに接続する各種模式図である。
【図４】本発明による方法で構築された図１に示された構成の電子出版物賃貸ネットワークプラットフォームのサービス請求者グリッドノードのサービス請求とサービス取得のフローチャートである。
【図５】本発明による方法で構築された図１に示された構成の電子出版物賃貸ネットワークプラットフォームのサービス提供者グリッドノードのサービス申請取得とサービス提供のフローチャートである。
【国際調査報告】
2009507282.tif 000008
2009507282.tif 000009
2009507282.tif 000010
2009507282.tif 000011